(57)【要約】参照信号構成のための方法及び装置が開示される。１つの実施形態において、方法は、ネットワーク・ノードから参照信号リソース・セットの構成を受信することと、受信された構成の少なくとも１つのパラメータに基づいて、参照信号リソース・セットの参照信号リソースを使用して周波数同期が実行可能であるかどうかを判定することとを有する。
2021503735.tif 000002
【特許請求の範囲】
【請求項１】
ワイヤレス・デバイス（ＷＤ）（２２）と通信するように構成されたネットワーク・ノード（１６）であって、
無線インタフェース（６２）と、
処理回路（６８）とを備え、前記処理回路（６８）は、前記無線インタフェース（６２）に、
参照信号リソース・セットの構成を送信させることであって、前記送信された構成の少なくとも１つのパラメータは、前記参照信号リソース・セットの参照信号リソースを使用して前記ＷＤ（２２）によって周波数同期が実行可能であるかどうかを判定する、ことを行うように構成される、ネットワーク・ノード（１６）。
【請求項２】
請求項１に記載のネットワーク・ノード（１６）であって、前記参照信号リソース・セットは、少なくとも１つのスロット内の単一シンボル及び１ポート参照信号リソースのセットである、ネットワーク・ノード（１６）。
【請求項３】
請求項１又は２に記載のネットワーク・ノード（１６）であって、前記処理回路（６８）は、前記無線インタフェース（６２）に、前記参照信号リソース・セットの前記送信された構成に従って前記参照信号リソース・セットの参照信号リソースを前記ＷＤ（２２）へ送信させるようにさらに構成される、ネットワーク・ノード（１６）。
【請求項４】
請求項１乃至３の何れか１項に記載のネットワーク・ノード（１６）であって、前記少なくとも１つのパラメータは、前記ＷＤ（２２）が前記参照信号リソース・セットのすべての参照信号リソースに対して同じアンテナ・ポートを想定可能であるかどうかを示す、ネットワーク・ノード（１６）。
【請求項５】
請求項１乃至４の何れか１項に記載のネットワーク・ノード（１６）であって、前記処理回路（６８）は、前記無線インタフェース（６２）に、無線リソース制御（ＲＲＣ）メッセージにおいて前記参照信号リソースの前記構成を送信させるようにさらに構成される、ネットワーク・ノード（１６）。
【請求項６】
請求項１乃至５の何れか１項に記載のネットワーク・ノード（１６）であって、前記少なくとも１つのパラメータは、前記参照信号リソース・セットの参照信号リソースが同じ無線周波数（ＲＦ）無線チェーンを使用して送信されるかどうかを示す、ネットワーク・ノード（１６）。
【請求項７】
請求項１乃至６の何れか１項に記載のネットワーク・ノード（１６）であって、前記少なくとも１つのパラメータは、前記参照信号リソース・セットの参照信号リソースが同じプリコーダを使用して送信されるかどうかを示す、ネットワーク・ノード（１６）。
【請求項８】
請求項１乃至７の何れか１項に記載のネットワーク・ノード（１６）であって、前記少なくとも１つのパラメータは、前記参照信号リソース・セットの参照信号リソースが同じアンテナ・パネルを使用して送信されるかどうかを示す、ネットワーク・ノード（１６）。
【請求項９】
請求項１乃至８の何れか１項に記載のネットワーク・ノード（１６）であって、前記少なくとも１つのパラメータは、前記ＷＤ（２２）が、前記参照信号リソース・セットに関して実行された測定に基づいて、チャネル状態情報（ＣＳＩ）を前記ネットワーク・ノード（１６）へ報告するかどうかを示す、ネットワーク・ノード（１６）。
【請求項１０】
請求項１乃至９の何れか１項に記載のネットワーク・ノード（１６）であって、前記処理回路（６８）は、前記無線インタフェース（６２）に、前記少なくとも１つのパラメータが、前記参照信号リソース・セットの前記参照信号リソースを使用して前記ＷＤ（２２）によって周波数同期が実行可能でないことを示すならば、前記ＷＤ（２２）からチャネル状態情報（ＣＳＩ）報告を受信させるようにさらに構成される、ネットワーク・ノード（１６）。
【請求項１１】
ワイヤレス・デバイス（ＷＤ）（２２）と通信するように構成されたネットワーク・ノード（１６）のための方法であって、
参照信号リソース・セットの構成を送信すること（Ｓ１３４）であって、前記送信された構成の少なくとも１つのパラメータは、前記参照信号リソース・セットの参照信号リソースを使用して前記ＷＤ（２２）によって周波数同期が実行可能であるかどうかを判定する、ことを有する、方法。
【請求項１２】
請求項１１に記載の方法であって、前記参照信号リソース・セットは、少なくとも１つのスロット内の単一シンボル及び１ポート参照信号リソースのセットである、方法。
【請求項１３】
請求項１１又は１２に記載の方法であって、前記参照信号リソース・セットの前記送信された構成に従って前記参照信号リソース・セットの参照信号リソースを前記ＷＤ（２２）へ送信することをさらに有する、方法。
【請求項１４】
請求項１１乃至１３の何れか１項に記載の方法であって、前記少なくとも１つのパラメータは、前記ＷＤ（２２）が前記参照信号リソース・セットのすべての参照信号リソースに対して同じアンテナ・ポートを想定可能であるかどうかを示す、方法。
【請求項１５】
請求項１１乃至１４の何れか１項に記載の方法であって、無線リソース制御（ＲＲＣ）メッセージにおいて前記参照信号リソースの前記構成を送信することをさらに有する、方法。
【請求項１６】
請求項１１乃至１５の何れか１項に記載の方法であって、前記少なくとも１つのパラメータは、前記参照信号リソース・セットの参照信号リソースが同じ無線周波数（ＲＦ）無線チェーンを使用して送信されるかどうかを示す、方法。
【請求項１７】
請求項１１乃至１６の何れか１項に記載の方法であって、前記少なくとも１つのパラメータは、前記参照信号リソース・セットの参照信号リソースが同じプリコーダを使用して送信されるかどうかを示す、方法。
【請求項１８】
請求項１１乃至１７の何れか１項に記載の方法であって、前記少なくとも１つのパラメータは、前記参照信号リソース・セットの参照信号リソースが同じアンテナ・パネルを使用して送信されるかどうかを示す、方法。
【請求項１９】
請求項１１乃至１８の何れか１項に記載の方法であって、前記少なくとも１つのパラメータは、前記ＷＤ（２２）が、前記参照信号リソース・セットに関して実行された測定に基づいて、チャネル状態情報（ＣＳＩ）を前記ネットワーク・ノード（１６）へ報告するかどうかを示す、方法。
【請求項２０】
請求項１１乃至１９の何れか１項に記載の方法であって、前記少なくとも１つのパラメータが、前記参照信号リソース・セットの前記参照信号リソースを使用して前記ＷＤ（２２）によって周波数同期が実行可能でないことを示すならば、前記ＷＤ（２２）からチャネル状態情報（ＣＳＩ）報告を受信することをさらに有する、方法。
【請求項２１】
ネットワーク・ノード（１６）と通信するように構成されたワイヤレス・デバイス（ＷＤ）（２２）であって、
無線インタフェース（８２）と、
処理回路（８４）とを備え、前記処理回路（８４）は、
前記無線インタフェース（８２）に、前記ネットワーク・ノード（１６）から参照信号リソース・セットの構成を受信させることと、
前記受信された構成の少なくとも１つのパラメータに基づいて、前記参照信号リソース・セットの参照信号リソースを使用して周波数同期が実行可能であるかどうかを判定することと、を行うように構成される、ワイヤレス・デバイス（２２）。
【請求項２２】
請求項２１に記載のワイヤレス・デバイス（２２）であって、前記参照信号リソース・セットは、少なくとも１つのスロット内の単一シンボル及び１ポート参照信号リソースのセットである、ワイヤレス・デバイス（２２）。
【請求項２３】
請求項２１又は２２に記載のワイヤレス・デバイス（２２）であって、前記処理回路（８４）は、前記参照信号リソース・セットの前記参照信号リソースを使用して前記周波数同期が実行可能であることの判定の結果として、前記参照信号リソースを使用して前記周波数同期を実行するようにさらに構成される、ワイヤレス・デバイス（２２）。
【請求項２４】
請求項２３に記載のワイヤレス・デバイス（２２）であって、前記処理回路（８４）は、前記参照信号リソース・セットの参照信号リソース間の位相差に基づいて前記周波数同期を実行するように構成される、ワイヤレス・デバイス（２２）。
【請求項２５】
請求項２１乃至２４の何れか１項に記載のワイヤレス・デバイス（２２）であって、前記処理回路（８４）は、前記少なくとも１つのパラメータに基づいて前記参照信号リソース・セットがトラッキング参照信号バーストとして使用可能であることを判定するように構成されることによって、周波数同期が実行可能であるかどうかを判定するように構成される、ワイヤレス・デバイス（２２）。
【請求項２６】
請求項２１乃至２５の何れか１項に記載のワイヤレス・デバイス（２２）であって、前記処理回路（８４）は、
前記無線インタフェース（８２）に、前記参照信号リソース・セットの前記構成に従って前記参照信号リソースを受信させることと、
前記受信された参照信号リソースを使用して前記周波数同期を実行することと、
を行うようにさらに構成される、ワイヤレス・デバイス（２２）。
【請求項２７】
請求項２１乃至２６の何れか１項に記載のワイヤレス・デバイス（２２）であって、前記少なくとも１つのパラメータは、前記ＷＤ（２２）が前記参照信号リソース・セットのすべての参照信号リソースに対して同じアンテナ・ポートを想定可能であるかどうかを示す、ワイヤレス・デバイス（２２）。
【請求項２８】
請求項２１乃至２７の何れか１項に記載のワイヤレス・デバイス（２２）であって、前記少なくとも１つのパラメータは、前記参照信号リソース・セットの参照信号リソースが同じ無線周波数（ＲＦ）無線チェーンを使用して前記ネットワーク・ノード（１６）によって送信されるかどうかを示す、ワイヤレス・デバイス（２２）。
【請求項２９】
請求項２１乃至２８の何れか１項に記載のワイヤレス・デバイス（２２）であって、前記少なくとも１つのパラメータは、前記参照信号リソース・セットの参照信号リソースが同じプリコーダを使用して前記ネットワーク・ノード（１６）によって送信されるかどうかを示す、ワイヤレス・デバイス（２２）。
【請求項３０】
請求項２１乃至２９の何れか１項に記載のワイヤレス・デバイス（２２）であって、前記少なくとも１つのパラメータは、前記参照信号リソース・セットの参照信号リソースが同じアンテナ・パネルを使用して前記ネットワーク・ノード（１６）によって送信されるかどうかを示す、ワイヤレス・デバイス（２２）。
【請求項３１】
請求項２１乃至３０の何れか１項に記載のワイヤレス・デバイス（２２）であって、前記参照信号リソース・セットの前記構成は、無線リソース制御（ＲＲＣ）メッセージにおいて受信される、ワイヤレス・デバイス（２２）。
【請求項３２】
請求項２１乃至３１の何れか１項に記載のワイヤレス・デバイス（２２）であって、前記処理回路（８４）は、前記少なくとも１つのパラメータに基づいて、前記参照信号リソース・セットに関して実行された測定からのチャネル状態情報（ＣＳＩ）を前記ネットワーク・ノード（１６）へ報告するかどうかを判定するようにさらに構成される、ワイヤレス・デバイス（２２）。
【請求項３３】
ネットワーク・ノード（１６）と通信するように構成されたワイヤレス・デバイス（ＷＤ）（２２）のための方法であって、
前記ネットワーク・ノード（１６）から参照信号リソース・セットの構成を受信すること（Ｓ１３８）と、
前記受信された構成の少なくとも１つのパラメータに基づいて、前記参照信号リソース・セットの参照信号リソースを使用して周波数同期が実行可能であるかどうかを判定すること（Ｓ１４０）と、を有する、方法。
【請求項３４】
請求項３３に記載の方法であって、前記参照信号リソース・セットは、少なくとも１つのスロット内の単一シンボル及び１ポート参照信号リソースのセットである、方法。
【請求項３５】
請求項３３又は３４に記載の方法であって、前記参照信号リソース・セットの前記参照信号リソースを使用して前記周波数同期が実行可能であることの判定の結果として、前記参照信号リソースを使用して前記周波数同期を実行することをさらに有する、方法。
【請求項３６】
請求項３５に記載の方法であって、前記周波数同期は、前記参照信号リソース・セットの参照信号リソース間の位相差に基づいて実行される、方法。
【請求項３７】
請求項３３乃至３６の何れか１項に記載の方法であって、周波数同期が実行可能であるかどうかを判定することは、前記少なくとも１つのパラメータに基づいて前記参照信号リソース・セットがトラッキング参照信号バーストとして使用可能であることを判定することを含む、方法。
【請求項３８】
請求項３３乃至３７の何れか１項に記載の方法であって、
前記参照信号リソース・セットの前記構成に従って前記参照信号リソースを受信することと、
前記受信された参照信号リソースを使用して前記周波数同期を実行することと、
をさらに有する、方法。
【請求項３９】
請求項３３乃至３８の何れか１項に記載の方法であって、前記少なくとも１つのパラメータは、前記ＷＤ（２２）が前記参照信号リソース・セットのすべての参照信号リソースに対して同じアンテナ・ポートを想定可能であるかどうかを示す、方法。
【請求項４０】
請求項３３乃至３９の何れか１項に記載の方法であって、前記少なくとも１つのパラメータは、前記参照信号リソース・セットの参照信号リソースが同じ無線周波数（ＲＦ）無線チェーンを使用して前記ネットワーク・ノード（１６）によって送信されるかどうかを示す、方法。
【請求項４１】
請求項３３乃至４０の何れか１項に記載の方法であって、前記少なくとも１つのパラメータは、前記参照信号リソース・セットの参照信号リソースが同じプリコーダを使用して前記ネットワーク・ノード（１６）によって送信されるかどうかを示す、方法。
【請求項４２】
請求項３３乃至４１の何れか１項に記載の方法であって、前記少なくとも１つのパラメータは、前記参照信号リソース・セットの参照信号リソースが同じアンテナ・パネルを使用して前記ネットワーク・ノード（１６）によって送信されるかどうかを示す、方法。
【請求項４３】
請求項３３乃至４２の何れか１項に記載の方法であって、前記参照信号リソース・セットの前記構成は、無線リソース制御（ＲＲＣ）メッセージにおいて受信される、方法。
【請求項４４】
請求項３３乃至４３の何れか１項に記載の方法であって、前記少なくとも１つのパラメータに基づいて、前記参照信号リソース・セットに関して実行された測定からのチャネル状態情報（ＣＳＩ）を前記ネットワーク・ノード（１６）へ報告するかどうかを判定することをさらに有する、方法。
【請求項４５】
ネットワーク・ノード（１６）の少なくとも１つのプロセッサによって実行された場合に、前記ネットワーク・ノード（１６）に、請求項１１乃至２０の何れか１項に記載の方法を実行させるコンピュータ・プログラム。
【請求項４６】
ワイヤレス・デバイス（２２）の少なくとも１つのプロセッサによって実行された場合に、前記ワイヤレス・デバイス（２２）に、請求項３３乃至３４の何れか１項に記載の方法を実行させるコンピュータ・プログラム。
【請求項４７】
請求項４５又は４６に記載のコンピュータ・プログラムを備えるコンピュータ記憶デバイス。
【発明の詳細な説明】
【技術分野】
【０００１】
本開示はワイヤレス通信に関し、特にダウンリンク・トラッキング参照信号構成のための方法及び装置に関する。
【背景技術】
【０００２】
ニュー・ラジオ（ＮＲ）では、ダウンリンク・トラッキング参照信号（ＴＲＳ）が、以下に使用されるように導入されている。
●復調のための細かな時間及び周波数同期。
●受信されたキャリア周波数の０．１ｐｐｍ以内にアップリンク（ＵＬ）周波数を同調するために使用される周波数推定値を得ること。
●ドップラー拡散及び遅延拡散推定を行うこと。
【０００３】
フレーム同期及び粗い時間及び周波数推定は、他の手段（例えば、「ＳＳブロック」とも称される同期信号ブロック）によって得られると想定される。
【０００４】
ＴＲＳ信号のための他の潜在的な用途は、以下を含みうる。
●ダウンリンク（ＤＬ）電力測定。
●リンク障害検出。
●ユーザ機器（ＵＥ）自動ゲイン制御（ＡＧＣ）トレーニング。
●ビーム管理。
【０００５】
ＴＲＳスロット構造は、時間的に繰り返される周波数領域のコムに基づいてもよく、以下のパラメータによって特徴付けられてもよい。
●Ｓｆ：ＴＲＳサブキャリア間隔。
●コム・オフセット値（サブキャリア０サブキャリア間隔−１で測定）。
●Ｓｔ：スロット内のＴＲＳシンボル間隔。
●Ｎ：スロット内のＴＲＳ当たりの直交周波数分割多重（ＯＦＤＭ）シンボルの数。
●信号に使用されるＯＦＤＭシンボル・インデックスのセット。
●Ｂ：リソース・ブロック（ＲＢ）の数に関するＴＲＳ帯域幅。
●ＴＲＳバーストは、複数のＴＲＳスロットのバンドルであり、以下のパラメータによって特徴付けられてもよい。
●Ｘ：ＴＲＳスロットの数に関するＴＲＳバーストの長さ。
●Ｙ：スロットの数に関するＴＲＳバースト周期性。
●共通基準、例えば無線フレーム境界に対するスロット・オフセット。
【０００６】
図１は、ＴＲＳスロットの一例を示す。図２は、例示的なＴＲＳバーストを示す図である。注目すべきは、図２は、ページ・サイズ及び関連する数の明瞭さの制限のために２つの行を有するＴＲＳバーストを示すが、２つの行は、例示的なＴＲＳバーストを表す１つの連続的な行として意図されることである。
【０００７】
チャネル状態情報参照信号（ＣＳＩ−ＲＳ）は、チャネル状態情報を測定するために使用されるダウンリンク参照信号である。第３世代パートナシップ・プロジェクト（３ＧＰＰ）では、ＣＳＩ−ＲＳフレームワークをＴＲＳに使用できると考えられてきた。しかし、ＣＳＩ−ＲＳフレームワークをＴＲＳのためにどのように使用できるかに関するいくつかの態様は、判定されていない。
【発明の概要】
【０００８】
本開示のいくつかの実施形態は、有利に、ダウンリンク・トラッキング参照信号（ＴＲＳ）を構成するための方法及び装置を提供する。
【０００９】
いくつかの実施形態で、ワイヤレス・デバイス（ＷＤ）と通信するように構成されたネットワーク・ノードが提供され、前記ネットワーク・ノードは、無線インタフェース及び処理回路を有し、前記処理回路は、前記無線インタフェースに、参照信号リソース・セット（例えば、ＣＳＩ−ＲＳリソース・セット）の構成を示す少なくとも１つのパラメータを送信させるように構成され、前記参照信号リソース・セットの前記構成は、前記参照信号リソース・セットを使用して前記ワイヤレス・デバイスによって周波数同期が実行可能であるかどうかを判定する。
【００１０】
いくつかの実施形態で、ネットワーク・ノードと通信するように構成されたワイヤレス・デバイスが提供され、前記ＷＤは、無線インタフェース及び処理回路を備え、前記処理回路は、前記無線インタフェースに、参照信号リソース・セットの構成を示す少なくとも１つのパラメータを受信させることと、前記参照信号リソース・セットの前記構成を判定するために前記少なくとも１つのパラメータを使用することと、前記判定された構成に基づいて、前記参照信号リソース・セットを使用して周波数同期が実行可能であるかどうかを判定することとを行うように構成される。
【００１１】
１つの態様によれば、ワイヤレス・デバイス（ＷＤ）と通信するように構成されたネットワーク・ノードが提供される。前記ネットワーク・ノードは、無線インタフェースと、処理回路とを備え、前記処理回路は、前記無線インタフェースに、参照信号リソース・セットの構成を送信させることであって、前記送信された構成の少なくとも１つのパラメータは、前記参照信号リソース・セットの参照信号リソースを使用して前記ＷＤによって周波数同期が実行可能であるかどうかを判定する、ことを行うように構成される。
【００１２】
この態様の代替の実施形態で、前記処理回路は、前記無線インタフェースに、参照信号リソース・セットの構成を前記ＷＤへ送信させるように構成され、前記送信された構成の少なくとも１つのパラメータは、前記ＷＤが前記参照信号リソース・セットのすべての参照信号リソースに対して同じアンテナ・ポートを想定可能であるかどうかを判定する。
【００１３】
この態様によれば、いくつかの実施形態において、前記参照信号リソース・セットは、少なくとも１つのスロット内の単一シンボル及び１ポート参照信号リソースのセットである。この態様のいくつかの実施形態において、前記処理回路は、前記無線インタフェースに、前記参照信号リソース・セットの前記送信された構成に従って前記参照信号リソース・セットの参照信号リソースを前記ＷＤへ送信させるようにさらに構成される。この態様のいくつかの実施形態において、前記少なくとも１つのパラメータは、前記ＷＤが前記参照信号リソース・セットのすべての参照信号リソースに対して同じアンテナ・ポートを想定可能であるかどうかを示す。この態様のいくつかの実施形態において、前記処理回路は、前記無線インタフェースに、無線リソース制御（ＲＲＣ）メッセージにおいて前記参照信号リソースの前記構成を送信させるようにさらに構成される。この態様のいくつかの実施形態において、前記少なくとも１つのパラメータは、前記参照信号リソース・セットの参照信号リソースが同じ無線周波数（ＲＦ）無線チェーンを使用して送信されるかどうかを示す。この態様のいくつかの実施形態において、前記少なくとも１つのパラメータは、前記参照信号リソース・セットの参照信号リソースが同じプリコーダを使用して送信されるかどうかを示す。この態様のいくつかの実施形態において、前記少なくとも１つのパラメータは、前記参照信号リソース・セットの参照信号リソースが同じアンテナ・パネルを使用して送信されるかどうかを示す。この態様のいくつかの実施形態において、前記少なくとも１つのパラメータは、前記ＷＤが、前記参照信号リソース・セットに関して実行された測定に基づいて、チャネル状態情報（ＣＳＩ）を前記ネットワーク・ノードへ報告するかどうかを示す。この態様のいくつかの実施形態において、前記処理回路は、前記無線インタフェースに、前記少なくとも１つのパラメータが、前記参照信号リソース・セットの前記参照信号リソースを使用して前記ＷＤによって周波数同期が実行可能でないことを示すならば、前記ＷＤからチャネル状態情報（ＣＳＩ）報告を受信させるようにさらに構成される。
【００１４】
別の態様によれば、ワイヤレス・デバイス（ＷＤ）と通信するように構成されたネットワーク・ノードのための方法が提供される。前記方法は、参照信号リソース・セットの構成を送信することであって、前記送信された構成の少なくとも１つのパラメータは、前記参照信号リソース・セットの参照信号リソースを使用して前記ＷＤによって周波数同期が実行可能であるかどうかを判定する、ことを有する。
【００１５】
この態様の代替の実施形態で、前記方法は、前記ＷＤへ参照信号リソース・セットの構成を送信することを含み、前記送信された構成の少なくとも１つのパラメータは、前記ＷＤが参照信号リソース・セットのすべての参照信号リソースに対して同じアンテナ・ポートを想定可能であるかどうかを判定する。
【００１６】
この態様によれば、いくつかの実施形態において、前記参照信号リソース・セットは、少なくとも１つのスロット内の単一シンボル及び１ポート参照信号リソースのセットである。この態様のいくつかの実施形態において、前記方法は、前記参照信号リソース・セットの前記送信された構成に従って前記参照信号リソース・セットの参照信号リソースを前記ＷＤへ送信することをさらに有する。この態様のいくつかの実施形態において、前記少なくとも１つのパラメータは、前記ＷＤが前記参照信号リソース・セットのすべての参照信号リソースに対して同じアンテナ・ポートを想定可能であるかどうかを示す。この態様のいくつかの実施形態において、前記方法は、無線リソース制御（ＲＲＣ）メッセージにおいて前記参照信号リソースの前記構成を送信することをさらに有する。この態様のいくつかの実施形態において、前記少なくとも１つのパラメータは、前記参照信号リソース・セットの参照信号リソースが同じ無線周波数（ＲＦ）無線チェーンを使用して送信されるかどうかを示す。この態様のいくつかの実施形態において、前記少なくとも１つのパラメータは、前記参照信号リソース・セットの参照信号リソースが同じプリコーダを使用して送信されるかどうかを示す。この態様のいくつかの実施形態において、前記少なくとも１つのパラメータは、前記参照信号リソース・セットの参照信号リソースが同じアンテナ・パネルを使用して送信されるかどうかを示す。この態様のいくつかの実施形態において、前記少なくとも１つのパラメータは、前記ＷＤが、前記参照信号リソース・セットに関して実行された測定に基づいて、チャネル状態情報（ＣＳＩ）を前記ネットワーク・ノードへ報告するかどうかを示す。この態様のいくつかの実施形態において、前記方法は、前記少なくとも１つのパラメータが、前記参照信号リソース・セットの前記参照信号リソースを使用して前記ＷＤによって周波数同期が実行可能でないことを示すならば、前記ＷＤからチャネル状態情報（ＣＳＩ）報告を受信することをさらに有する。
【００１７】
さらに別の態様によれば、ネットワーク・ノードと通信するように構成されたワイヤレス・デバイス（ＷＤ）が提供される。前記ＷＤは、無線インタフェースと、処理回路とを備える。前記処理回路は、前記無線インタフェースに、前記ネットワーク・ノードから参照信号リソース・セットの構成を受信させることと、前記受信された構成の少なくとも１つのパラメータに基づいて、前記参照信号リソース・セットの参照信号リソースを使用して周波数同期が実行可能であるかどうかを判定することと、を行うように構成される。
【００１８】
この態様の代替の実施形態で、前記処理回路は、前記無線インタフェースに、前記ネットワーク・ノードから参照信号リソース・セットの構成を受信させ、前記受信された構成の少なくとも１つのパラメータに基づいて、前記ＷＤが参照信号リソース・セットのすべての参照信号リソースに対して同じアンテナ・ポートを想定可能であるかどうかを判定するように構成される。
【００１９】
この態様のいくつかの実施形態において、前記参照信号リソース・セットは、少なくとも１つのスロット内の単一シンボル及び１ポート参照信号リソースのセットである。この態様のいくつかの実施形態において、前記処理回路は、前記参照信号リソース・セットの前記参照信号リソースを使用して前記周波数同期が実行可能であることの判定の結果として、前記参照信号リソースを使用して前記周波数同期を実行するようにさらに構成される。この態様のいくつかの実施形態において、前記処理回路は、前記参照信号リソース・セットの参照信号リソース間の位相差に基づいて前記周波数同期を実行するように構成される。この態様のいくつかの実施形態において、前記処理回路は、前記少なくとも１つのパラメータに基づいて前記参照信号リソース・セットがトラッキング参照信号バーストとして使用可能であることを判定するように構成されることによって、周波数同期が実行可能であるかどうかを判定するように構成される。この態様のいくつかの実施形態において、前記処理回路は、前記無線インタフェースに、前記参照信号リソース・セットの前記構成に従って前記参照信号リソースを受信させることと、前記受信された参照信号リソースを使用して前記周波数同期を実行することと、を行うようにさらに構成される。この態様のいくつかの実施形態において、前記少なくとも１つのパラメータは、前記ＷＤが前記参照信号リソース・セットのすべての参照信号リソースに対して同じアンテナ・ポートを想定可能であるかどうかを示す。この態様のいくつかの実施形態において、前記少なくとも１つのパラメータは、前記参照信号リソース・セットの参照信号リソースが同じ無線周波数（ＲＦ）無線チェーンを使用して前記ネットワーク・ノードによって送信されるかどうかを示す。この態様のいくつかの実施形態において、前記少なくとも１つのパラメータは、前記参照信号リソース・セットの参照信号リソースが同じプリコーダを使用して前記ネットワーク・ノードによって送信されるかどうかを示す。この態様のいくつかの実施形態において、前記少なくとも１つのパラメータは、前記参照信号リソース・セットの参照信号リソースが同じアンテナ・パネルを使用して前記ネットワーク・ノードによって送信されるかどうかを示す。この態様のいくつかの実施形態において、前記参照信号リソース・セットの前記構成は、無線リソース制御（ＲＲＣ）メッセージにおいて受信される。この態様のいくつかの実施形態において、前記処理回路は、前記少なくとも１つのパラメータに基づいて、前記参照信号リソース・セットに関して実行された測定からのチャネル状態情報（ＣＳＩ）を前記ネットワーク・ノードへ報告するかどうかを判定するようにさらに構成される。
【００２０】
この開示の別の態様によれば、ネットワーク・ノードと通信するように構成されたワイヤレス・デバイス（ＷＤ）のための方法が提供される。前記方法は、前記ネットワーク・ノードから参照信号リソース・セットの構成を受信することと、前記受信された構成の少なくとも１つのパラメータに基づいて、前記参照信号リソース・セットの参照信号リソースを使用して周波数同期が実行可能であるかどうかを判定することと、を有する。
【００２１】
この態様の代替の実施形態で、前記方法は、前記ネットワーク・ノードから参照信号リソース・セットの構成を受信することと、前記受信された構成の少なくとも１つのパラメータに基づいて、前記ＷＤが前記参照信号リソース・セットのすべての参照信号リソースに対して同じアンテナ・ポートを想定可能であるかどうかを判定することとを有する。
【００２２】
この態様によれば、いくつかの実施形態において、前記参照信号リソース・セットは、少なくとも１つのスロット内の単一シンボル及び１ポート参照信号リソースのセットである。この態様のいくつかの実施形態において、前記方法は、前記参照信号リソース・セットの前記参照信号リソースを使用して前記周波数同期が実行可能であることの判定の結果として、前記参照信号リソースを使用して前記周波数同期を実行することをさらに有する。この態様のいくつかの実施形態において、前記周波数同期は、前記参照信号リソース・セットの参照信号リソース間の位相差に基づいて実行される。この態様のいくつかの実施形態において、周波数同期が実行可能であるかどうかを判定することは、前記少なくとも１つのパラメータに基づいて前記参照信号リソース・セットがトラッキング参照信号バーストとして使用可能であることを判定することを含む。この態様のいくつかの実施形態において、前記方法は、前記参照信号リソース・セットの前記構成に従って前記参照信号リソースを受信することと、前記受信された参照信号リソースを使用して前記周波数同期を実行することと、をさらに有する。この態様のいくつかの実施形態において、前記少なくとも１つのパラメータは、前記ＷＤが前記参照信号リソース・セットのすべての参照信号リソースに対して同じアンテナ・ポートを想定可能であるかどうかを示す。この態様のいくつかの実施形態において、前記少なくとも１つのパラメータは、前記参照信号リソース・セットの参照信号リソースが同じ無線周波数（ＲＦ）無線チェーンを使用して前記ネットワーク・ノードによって送信されるかどうかを示す。この態様のいくつかの実施形態において、前記少なくとも１つのパラメータは、前記参照信号リソース・セットの参照信号リソースが同じプリコーダを使用して前記ネットワーク・ノードによって送信されるかどうかを示す。この態様のいくつかの実施形態において、前記少なくとも１つのパラメータは、前記参照信号リソース・セットの参照信号リソースが同じアンテナ・パネルを使用して前記ネットワーク・ノードによって送信されるかどうかを示す。この態様のいくつかの実施形態において、前記参照信号リソース・セットの前記構成は、無線リソース制御（ＲＲＣ）メッセージにおいて受信される。この態様のいくつかの実施形態において、前記方法は、前記少なくとも１つのパラメータに基づいて、前記参照信号リソース・セットに関して実行された測定からのチャネル状態情報（ＣＳＩ）を前記ネットワーク・ノードへ報告するかどうかを判定することをさらに有する。
【００２３】
別の態様によれば、ネットワーク・ノードの少なくとも１つのプロセッサによって実行された場合に、前記ネットワーク・ノードに、前記ネットワーク・ノードの前記方法の何れかを実行させるコンピュータ・プログラムが提供される。
【００２４】
別の態様によれば、ワイヤレス・デバイスの少なくとも１つのプロセッサによって実行された場合に、前記ワイヤレス・デバイスに、前記ワイヤレス・デバイスの前記方法の何れかを実行させるコンピュータ・プログラムが提供される。
【００２５】
さらに別の態様によれば、前記ネットワーク・ノード又は前記ワイヤレス・デバイスの少なくとも１つのプロセッサによって実行されるコンピュータ・プログラムを備えるコンピュータ記憶デバイスが提供される。
【図面の簡単な説明】
【００２６】
添付の図面と併せて考慮されると、以下の詳細な説明を参照することによって、本実施形態及びその付随する利点及び特徴のより完全な理解がより容易に理解されるであろう。
【図１】例示的なＴＲＳスロットを示す。
【図２】例示的なＴＲＳバーストを示す。
【図３】ＴＲＳスロットを作成するためにＣＳＩ−ＲＳをどのように使用するかの例示的な構成を示す。
【図４】本開示の原理による、中間ネットワークを介してホスト・コンピュータに接続される通信システムを示す例示的なネットワーク・アーキテクチャの概略図である。
【図５】本開示のいくつかの実施形態による、ホスト・コンピュータが、ネットワーク・ノードを介して、少なくとも部分的にワイヤレス接続を通じてワイヤレス・デバイスと通信するブロック図である。
【図６】本開示のいくつかの実施形態によるホスト・コンピュータの代替実施形態のブロック図である。
【図７】本開示のいくつかの実施形態によるネットワーク・ノードの代替実施形態のブロック図である。
【図８】本開示のいくつかの実施形態によるワイヤレス・デバイスの代替実施形態のブロック図である。
【図９】本開示のいくつかの実施形態による、ホスト・コンピュータ、ネットワーク・ノード、及びワイヤレス・デバイスを含む通信システムにおいて実施される例示的な方法を示すフローチャートである。
【図１０】本開示のいくつかの実施形態による、ホスト・コンピュータ、ネットワーク・ノード、及びワイヤレス・デバイスを含む通信システムにおいて実施される例示的な方法を示すフローチャートである。
【図１１】本開示のいくつかの実施形態による、ホスト・コンピュータ、ネットワーク・ノード、及びワイヤレス・デバイスを含む通信システムにおいて実施される例示的な方法を示すフローチャートである。
【図１２】本開示のいくつかの実施形態による、ホスト・コンピュータ、ネットワーク・ノード、及びワイヤレス・デバイスを含む通信システムにおいて実施される例示的な方法を示すフローチャートである。
【図１３】本開示のいくつかの実施形態による、参照信号リソース・セットを構成するためのネットワーク・ノードにおける例示的なプロセスのフローチャートである。
【図１４】本開示のいくつかの実施形態による、参照信号リソース・セットを構成するためのネットワーク・ノードにおける代替の例示的なプロセスのフローチャートである。
【図１５】本開示のいくつかの実施形態による、受信された構成パラメータに基づいて、参照信号リソース・セットを使用して周波数同期を実行するかどうかを判定するためのワイヤレス・デバイスにおける例示的なプロセスのフローチャートである。
【図１６】本開示のいくつかの実施形態による、ワイヤレス・デバイスにおける代替の例示的なプロセスのフローチャートである。
【図１７】本開示のいくつかの実施形態による例示的な通信フローを示す概略図である。
【図１８】本開示のいくつかの実施形態による別の例示的な通信フローを示す概略図である。
【発明を実施するための形態】
【００２７】
チャネル状態情報参照信号（ＣＳＩ−ＲＳ）は、チャネル状態情報を測定するために使用されるダウンリンク参照信号である。１つのシンボルＴＲＳスロットと同様の構造を有する１ポートＣＳＩ−ＲＳ構成が存在してもよい。第３世代パートナシップ・プロジェクト（３ＧＰＰ）では、ＣＳＩ−ＲＳフレームワークをＴＲＳに使用できると考えられてきた。
【００２８】
これを達成するために、グループ化されうるＷＤに対する複数の単一シンボルＣＳＩ−ＲＳリソースの構成がありうる。
【００２９】
受信機（例えば、ＷＤ）は、時間／周波数を推定するためにグループ内のすべてのＣＳＩ−ＲＳリソースを一緒に処理できる。このようなＣＳＩ−ＲＳリソースのグループは、ＣＳＩ−ＲＳリソース・セットを構成する。
【００３０】
例えば、図３は、ＴＲＳスロットを作成するためにＣＳＩ−ＲＳを使用する方法のための例示的な構成を例示し、これは以下のように記載される。
●３つの１シンボル、１ポートＣＳＩ−ＲＳリソース（インデックス１、２、３）を構成する。
●リソース・インデックス１：シンボル５にマッピングされ、周期２０スロット、スロット・オフセット０を有する。
●リソース・インデックス２：シンボル９にマッピングされ、周期２０スロット、スロット・オフセット０を有する。
●リソース・インデックス３：シンボル１３にマッピングされ、周期２０スロット、スロット・オフセット１を有する。
●ＣＳＩ−ＲＳリソース１〜３間のグルーピング／関連付けを構成する。
●（ＴＲＳの場合のように）処理にリソースを併用して使用する。
【００３１】
図３は例にすぎず、他のＴＲＳ構成が使用されてもよいことに留意されたい。また、他のＣＳＩ−ＲＳリソース構成、例えば、潜在的に上記で説明したのと同様の方法で組み合わされうるマルチ・シンボルＣＳＩ−ＲＳリソースが存在してもよいことにも留意されたい。しかし、ＴＲＳについて、ただ１つのシンボルを占める１ポートＴＲＳリソースは、単一シンボル・リソースをより柔軟に配置できるため、ほとんどのシナリオにとって十分である見込みがある。対照的に、マルチ・シンボルＣＳＩ−ＲＳリソースは、シンボルのペアから構成され、ペア内のシンボル位置は、ほとんど常に隣接している。
【００３２】
３ＧＰＰでは、ＴＲＳバーストは、１ポートで単一シンボルのＣＳＩ−ＲＳリソースのセットとして構成されうると考えられてきた。複数の周期的参照信号（ＲＳ）リソースが構成されてもよく、これは、異なるスロット（及び時には異なるスロット・オフセット）にマッピングされてもよい。バーストは、複数のリソースの各々からの１つの周期的インスタンスの集合として定義される。
【００３３】
周波数推定は、少なくとも２回のインスタンスにおいて測定された信号の相対位相を比較することに基づく。残念ながら、信号生成の非コヒーレンシにより信号位相が変化すると、問題が生じる場合がある。例えば、非コヒーレンシは、２つ以上の時間インスタンスに対して異なる無線チェーンが使用されることに起因して、又は使用されるプリコーダの変更に起因して、生じる可能性がある。コヒーレンシは、指定されたフレームワークが与えられるＣＳＩ−ＲＳリソースにわたって保証されない場合がある。したがって、一般に、いくつかの既存の技術を使用してＣＳＩ−ＲＳリソースにわたって正確に周波数推定を実行することができない。
【００３４】
よって、いくつかの実施形態は、参照信号リソース・セットの構成を示す少なくとも１つのパラメータをワイヤレス・デバイスへ送信するように構成されたネットワーク・ノードを提供する。実施形態では、参照信号リソース・セットの構成は、参照信号リソース・セットを使用してワイヤレス・デバイスが周波数同期を実行できるかどうかを判定する。別の言い方をすれば、いくつかの実施形態では、ネットワーク・ノードは、本書で説明されるように、ネットワーク・ノードが参照信号リソース・セットをコヒーレントに送信するかどうかに基づいて参照信号リソース・セットの構成を示すための少なくとも１つのパラメータを送信してもよい。
【００３５】
有利なことに、ワイヤレス・デバイスは、少なくとも１つのパラメータを使用して、細かな時間及び／又は周波数同期を実行するために参照信号リソース・セットを使用するかどうかを判定できる。いくつかの追加の実施形態では、ワイヤレス・デバイスはまた、少なくとも１つのパラメータを使用して、参照信号リソース・セットに関して実行された測定に基づいて、ＣＳＩをネットワーク・ノードへ報告し返すか否かを判定してもよい。したがって、本発明の実施形態は、リソースをより効率的に利用し、及び／又はネットワーク上での通信を改善してもよい。
【００３６】
例示的な実施形態を詳細に説明する前に、実施形態は主に、ダウンリンク・トラッキング参照信号の構成に関連する装置構成要素及び処理ステップの組み合わせにあることに留意されたい。したがって、構成要素は、図面において適宜従来の記号によって表されており、本書の説明の利益を有する当業者には容易に明らかとなる詳細で本開示を不明瞭にしないように、実施形態を理解することに関連する具体的な詳細のみを示している。説明全体を通して、同様の番号は同様の要素を指す。
【００３７】
本書で使用されるように、「第１」及び「第２」、「上部」及び「底部」などの関係性用語は、このようなエンティティ又は要素間の任意の物理的又は論理的な関係又は順序を必ずしも必要とせず、又は暗示することなく、１つのエンティティ又は要素を別のエンティティ又は要素から区別するためにのみ使用されてもよい。本書で使用される専門用語は、特定の実施形態を説明することのみを目的とし、本書で説明される概念を限定することを意図しない。本書で使用されるように、単数形「ａ」、「ａｎ」及び「ｔｈｅ」は、文脈が明確にそうでないことを示さない限り、複数形も含むことが意図される。本書で使用される場合、「備える」、「備えている」、「含む」、及び／又は「含んでいる」という用語は、述べられた特徴、整数、ステップ、動作、要素、及び／又は構成要素の存在を指定するが、１つ以上の他の特徴、整数、ステップ、動作、要素、構成要素、及び／又はこれらのグループの存在又は追加を排除しないことがさらに理解されるであろう。
【００３８】
本書に記載される実施形態では、「通信している」などの連結性用語は、例えば、物理的接触、誘導、電磁放射、無線シグナリング、赤外線シグナリング、又は光シグナリングによって達成されてもよい電気通信又はデータ通信を示すために使用されてもよい。当業者は、複数の構成要素が相互動作可能であり、電気通信及びデータ通信を達成するために修正及び変形が可能であることを理解するであろう。
【００３９】
本書で説明されるいくつかの実施形態では、「結合された」、「接続された」などの用語は、必ずしも直接ではないが、接続を示すために本書で使用されてもよく、有線接続及び／又はワイヤレス接続を含んでもよい。
【００４０】
本書で使用される「ネットワーク・ノード」という用語は、基地局（ＢＳ）、無線基地局、基地局送受信局（ＢＴＳ）、基地局制御装置（ＢＳＣ）、無線ネットワーク制御装置（ＲＮＣ）、ｇノードＢ（ｇＮＢ）、発展型ノードＢ（ｅＮＢ又はｅノードＢ）、ノードＢ、ＭＳＲ  ＢＳのようなマルチ標準無線（ＭＳＲ）無線ノード、マルチセル／マルチキャスト協調エンティティ（ＭＣＥ）、リレー・ノード、リレーを制御するドナー・ノード、無線アクセス・ポイント（ＡＰ）、送信ポイント、送信ノード、リモート無線ユニット（ＲＲＵ）リモート無線ヘッド（ＲＲＨ）、コア・ネットワーク・ノード（例えば、モバイル管理エンティティ（ＭＭＥ）、自己組織化ネットワーク（ＳＯＮ）ノード、協調ノード、測位ノード、ＭＤＴノードなど）、外部ノード（例えば、第三者ノード、現在のネットワークの外部のノード）、分散アンテナ・システム（ＤＡＳ）、スペクトル・アクセス・システム（ＳＡＳ）ノード、要素管理システム（ＥＭＳ）等のいずれかをさらに含んでもよい、無線ネットワークに含まれる任意の種類のネットワーク・ノードでありうる。ネットワーク・ノードはまた、テスト機器を備えてもよい。本書で使用される「無線ノード」という用語は、ワイヤレス・デバイス（ＷＤ）又は無線ネットワーク・ノードのようなワイヤレス・デバイス（ＷＤ）も示すために使用されてもよい。
【００４１】
いくつかの実施形態では、ワイヤレス・デバイス（ＷＤ）又はユーザ機器（ＵＥ）という非限定的な用語は、互換的に使用される。本書におけるＷＤは、ワイヤレス・デバイス（ＷＤ）のような、無線信号を介してネットワーク・ノード又は別のＷＤと通信できる任意のタイプのワイヤレス・デバイスでありうる。ＷＤはまた、無線通信デバイス、ターゲット・デバイス、デバイス対デバイス（Ｄ２Ｄ）ＷＤ、マシン型ＷＤすなわちマシン対マシン通信（Ｍ２Ｍ）が可能なＷＤ、低コスト及び／又は低複雑性ＷＤ、ＷＤを備えるセンサ、タブレット、携帯端末、スマートフォン、ラップトップ内蔵機器（ＬＥＥ）、ラップトップ搭載機器（ＬＭＥ）、ＵＳＢドングル、顧客構内設備（ＣＰＥ）、モノのインターネット（ＩｏＴ）デバイス、狭帯域ＩｏＴ（ＮＢ−ＩｏＴ）デバイスなどであってもよい。
【００４２】
また、いくつかの実施形態では、「無線ネットワーク・ノード」という総称が使用される。これは、基地局、無線基地局、基地局送受信局、基地局制御装置、ネットワーク制御装置ＲＮＣ、発展型ノードＢ（ｅＮＢ）、ノードＢ、ｇＮＢ、マルチセル／マルチキャスト協調エンティティ（ＭＣＥ）、リレー・ノード、アクセス・ポイント、無線アクセス・ポイント、リモート無線ユニット（ＲＲＵ）リモート無線ヘッド（ＲＲＨ）の何れかを備えてもよい任意の種類の無線ネットワーク・ノードでありうる。
【００４３】
この開示では、例えば３ＧＰＰ  ＬＴＥのような１つの特定のワイヤレス・システムからの用語が使用されてもよいが、これは、本開示の範囲を前述のシステムだけに限定すると見なされるべきではないことに留意されたい。広帯域符号分割多重接続（ＷＣＤＭＡ）、マイクロ波アクセスのための世界規模インタオペラビリティ（ＷｉＭａｘ）、ウルトラ・モバイル・ブロードバンド（ＵＭＢ）、モバイル通信のためのグローバル・システム（ＧＳＭ）を制限なく含む他のワイヤレス・システムもまた、この開示内に包含される概念を利用することから利益を得られてもよい。
【００４４】
さらに、ワイヤレス・デバイス又はネットワーク・ノードによって実行されるものとして本書で説明される機能は、複数のワイヤレス・デバイス及び／又はネットワーク・ノードにわたって分散されてもよいことに留意されたい。言い換えれば、本書で説明されるネットワーク・ノード及びワイヤレス・デバイスの機能は、単一の物理デバイスによる実行に限定されず、実際、いくつかの物理デバイスに分散されてもよいことが企図される。
【００４５】
別段に規定しない限り、本書で使用されるすべての用語（技術用語及び科学用語を含む）は、この開示が属する技術分野の当業者によって一般に理解されるものと同じ意味を有する。さらに、本書で使用される用語は、この明細書及び関連技術の文脈におけるそれらの意味と一致する意味を有すると解釈されるべきであり、本書で明示的にそのように規定されない限り、理想化された又は過度に形式的な意味で解釈されるべきではないことを理解されたい。
【００４６】
同様の要素が同様の参照符号によって参照される図面に戻ると、図４に、無線アクセス・ネットワークのようなアクセス・ネットワーク１２及びコア・ネットワーク１４を備える３ＧＰＰタイプのセルラー・ネットワークのような通信システム１０を含む、実施形態による通信システムの概略図が示されている。アクセス・ネットワーク１２は、ＮＢ、ｅＮＢ、ｇＮＢ、又は他のタイプのワイヤレス・アクセス・ポイントのような、複数のネットワーク・ノード１６ａ、１６ｂ、１６ｃ（まとめてネットワーク・ノード１６と呼ばれる）を備え、それぞれのネットワーク・ノードは、対応するカバレッジ・エリア１８ａ、１８ｂ、１８ｃ（まとめてカバレッジ・エリア１８と呼ばれる）を規定する。各ネットワーク・ノード１６ａ、１６ｂ、１６ｃは、有線又はワイヤレス接続２０を介してコア・ネットワーク１４に接続可能である。カバレッジ・エリア１８ａに位置する第１ワイヤレス・デバイス（ＷＤ）２２ａは、対応するネットワーク・ノード１６ｃにワイヤレス接続する、又は対応するネットワーク・ノード１６ｃによってページングされるように構成される。カバレッジ・エリア１８ｂ内の第２ＷＤ２２ｂは、対応するネットワーク・ノード１６ａにワイヤレス接続可能である。この例では、複数のＷＤ２２ａ、２２ｂ（まとめてワイヤレス・デバイス２２と称される）が示されているが、開示される実施形態は、たった１つのＷＤがカバレッジ・エリア内にある状況、又はたった１つのＷＤが対応するネットワーク・ノード１６に接続されている状況にも等しく適用可能である。便宜上、２つのＷＤ２２及び３つのネットワーク・ノード１６だけが示されているが、通信システムは、さらに多くのＷＤ２２及びネットワーク・ノード１６を含んでもよいことに留意されたい。
【００４７】
通信システム１０は、それ自体、ホスト・コンピュータ２４に接続されてもよく、ホスト・コンピュータ２４は、スタンドアロン・サーバ、クラウド実装サーバ、分散サーバのハードウェア及び／又はソフトウェアにおいて、又はサーバ・ファーム内の処理リソースとして実施されてもよい。ホスト・コンピュータ２４は、サービス・プロバイダの所有又は制御下にあってもよいし、サービス・プロバイダによって、又はサービス・プロバイダに代わって動作されてもよい。通信システム１０とホスト・コンピュータ２４との間の接続２６、２８は、コア・ネットワーク１４からホスト・コンピュータ２４へ直接延びてもよく、又はオプションの中間ネットワーク３０を介して延びてもよい。中間ネットワーク３０は、公衆ネットワーク、プライベート・ネットワーク、又はホスティング・ネットワークのうちの１つ、又は２つ以上の組合せであってもよい。中間ネットワーク３０は、存在するならば、バックボーン・ネットワークでもインターネットでもよい。いくつかの実施形態で、中間ネットワーク３０は、２つ以上のサブネットワーク（図示せず）を備えてもよい。
【００４８】
図４の通信システムは、全体として、接続されたＷＤ２２ａ、２２ｂの一方とホスト・コンピュータ２４との接続を可能にする。接続は、オーバ・ザ・トップ（ＯＴＴ）接続として説明されてもよい。ホスト・コンピュータ２４及び接続されたＷＤ２２ａ、２２ｂは、アクセス・ネットワーク１２、コア・ネットワーク１４、任意の中間ネットワーク３０、及び介在物として取りうるさらなるインフラストラクチャ（図示せず）を使用して、ＯＴＴ接続を介してデータ及び／又はシグナリングを通信するように構成される。ＯＴＴ接続は、ＯＴＴ接続が通過する参加通信デバイスのうちの少なくともいくつかが、アップリンク通信及びダウンリンク通信のルーティングを知らないという意味で透過的であってもよい。例えば、ネットワーク・ノード１６は、接続されたＷＤ２２ａへ転送されるべき（例えばハンドオーバされるべき）ホスト・コンピュータ２４から発信されるデータとの着信ダウンリンク通信の過去のルーティングについて通知されなくてもよく、又は通知される必要はない。同様に、ネットワーク・ノード１６は、ＷＤ２２ａからホスト・コンピュータ２４に向かう発信アップリンク通信の将来のルーティングを認識する必要はない。
【００４９】
ネットワーク・ノード１６は、参照信号リソース・セットの構成を示す少なくとも１つのパラメータを送信するように構成された参照信号構成ユニット３２を含むように構成されてもよく、参照信号リソース・セットの構成は、参照信号リソース・セットを使用してワイヤレス・デバイスが周波数同期を実施できるかどうかを判定する。ワイヤレス・デバイス２２は、参照信号リソース・セットの構成を示す少なくとも１つのパラメータを受信し、参照信号リソース・セットの構成を判定するために少なくとも１つのパラメータを使用し、判定された構成に基づいて、参照信号リソース・セットを使用して周波数同期を実行できるかどうかを判定するように構成された周波数同期ユニット３４を含むように構成されてもよい。
【００５０】
ここで、図５を参照して、前述の段落で議論したＷＤ２２、ネットワーク・ノード１６、及びホスト・コンピュータ２４の実施形態に従う例示の実装について説明する。通信システム１０において、ホスト・コンピュータ２４は、通信システム１０の異なる通信デバイスのインタフェースとの有線又は無線接続をセットアップ及び維持するように構成された通信インタフェース４０を含むハードウェア（ＨＷ）３８を備える。ホスト・コンピュータ２４は、記憶及び／又は処理能力を有してもよい処理回路４２をさらに備える。処理回路４２は、プロセッサ４４及びメモリ４６を含んでもよい。特に、従来のプロセッサ及びメモリに加えて、処理回路４２は、処理及び／又は制御のための集積回路、例えば、命令を実行するように適合された１つ以上のプロセッサ及び／又はプロセッサ・コア及び／又はＦＰＧＡ（フィールド・プログラマブル・ゲート・アレイ）及び／又はＡＳＩＣ（特定用途向け集積回路）を備えてもよい。プロセッサ４４は、任意の種類の揮発性及び／又は揮発性のメモリ、例えば、キャッシュ及び／又はバッファ・メモリやＲＡＭ（ランダム・アクセス・メモリ）及び／又はＲＯＭ（リード・オンリ・メモリ）及び／又は光メモリ及び／又はＥＰＲＯＭ（消去可能プログラマブル・リード・オンリ・メモリ）にアクセスする（例えば、書き込む及び／又は読み出す）ように構成されてもよい。
【００５１】
処理回路４２は、本書で説明される方法及び／又はプロセスのいずれかを制御するように、及び／又はこのような方法及び／又はプロセスを、例えばホスト・コンピュータ２４によって実行させるように構成されてもよい。プロセッサ４４は、本書で説明されるホスト・コンピュータ２４機能を実行するための１つ以上のプロセッサ４４に対応する。ホスト・コンピュータ２４は、データ、プログラム・ソフトウェア・コード、及び／又は本書に記載の他の情報を記憶するように構成されたメモリ４６を含む。いくつかの実施形態では、ソフトウェア４８及び／又はホスト・アプリケーション５０は、プロセッサ４４及び／又は処理回路４２によって実行される場合に、ホスト・コンピュータ２４に関して本書で説明されるプロセスをプロセッサ４４及び／又は処理回路４２に実行させる命令を含んでもよい。命令は、ホスト・コンピュータ２４に関連付けられたソフトウェアであってもよい。
【００５２】
ソフトウェア４８は、処理回路４２によって実行可能であってもよい。ソフトウェア４８は、ホスト・アプリケーション５０を含む。ホスト・アプリケーション５０は、ＷＤ２２及びホスト・コンピュータ２４で終端するＯＴＴ接続５２を介して接続するＷＤ２２のようなリモート・ユーザにサービスを提供するように動作可能であってもよい。リモート・ユーザにサービスを提供する際に、ホスト・アプリケーション５０は、ＯＴＴ接続５２を使用して送信されるユーザ・データを提供してもよい。「ユーザ・データ」は、説明される機能を実装するものとして本書で説明されるデータ及び情報であってもよい。一実施形態では、ホスト・コンピュータ２４は、サービス・プロバイダに制御及び機能を提供するように構成されてもよく、サービス・プロバイダによって、又はサービス・プロバイダに代わって動作されてもよい。ホスト・コンピュータ２４の処理回路４２は、サービス・プロバイダがネットワーク・ノード１６及び／又はワイヤレス・デバイス２２を監視することを可能にするように構成された監視ユニット５４を含んでもよい。
【００５３】
通信システム１０は、通信システム１０内に提供され、ホスト・コンピュータ２４及びＷＤ２２と通信することを可能にするハードウェア５８を備えるネットワーク・ノード１６をさらに含む。ハードウェア５８は、通信システム１０の異なる通信デバイスのインタフェースとの有線又は無線接続をセットアップ及び維持するための通信インタフェース６０、ならびにネットワーク・ノード１６によってサービスされるカバレッジ・エリア１８内に位置するＷＤ２２との少なくともワイヤレス接続６４をセットアップ及び維持するための無線インタフェース６２を含んでもよい。無線インタフェース６２は、例えば、１つ以上のＲＦ送信機、１つ以上のＲＦ受信機、及び／又は１つ以上のＲＦ送受信機として形成されてもよいし、又はこれらを含んでもよい。通信インタフェース６０は、ホスト・コンピュータ２４への接続６６を容易にするように構成されてもよい。接続６６は、直接であってもよく、又は通信システム１０のコア・ネットワーク１４及び／又は通信システム１０の外部の１つ以上の中間ネットワーク３０を通過してもよい。
【００５４】
示される実施形態では、ネットワーク・ノード１６のハードウェア５８は、処理回路６８をさらに含む。処理回路６８は、プロセッサ７０及びメモリ７２を含んでもよい。特に、従来のプロセッサ及びメモリに加えて、処理回路６８は、処理及び／又は制御のための集積回路、例えば、命令を実行するように適合された１つ以上のプロセッサ及び／又はプロセッサ・コア及び／又はＦＰＧＡ（フィールド・プログラマブル・ゲート・アレイ）及び／又はＡＳＩＣ（特定用途向け集積回路）を含んでもよい。プロセッサ７０は、任意の種類の揮発性及び／又は不揮発性メモリ、例えば、キャッシュ及び／又はバッファ・メモリ及び／又はＲＡＭ（ランダム・アクセス・メモリ）及び／又はＲＯＭ（リード・オンリ・メモリ）及び／又は光学メモリ及び／又はＥＰＲＯＭ（消去可能プログラマブル・リード・オンリ・メモリ）を備えてもよいメモリ７２にアクセスする（例えば、書き込む及び／又は読み出す）ように構成されてもよい。
【００５５】
よって、ネットワーク・ノード１６は、例えば、メモリ７２に内部的に格納された、又は外部接続を介してネットワーク・ノード１６によってアクセス可能な外部メモリ（例えば、データベース）に格納されたソフトウェア７４をさらに有する。ソフトウェア７４は、処理回路６８によって実行可能であってもよい。処理回路６８は、本書で説明される方法及び／又はプロセスのいずれかを制御し、及び／又はこのような方法及び／又はプロセスを、例えばネットワーク・ノード１６によって実行させるように構成されてもよい。プロセッサ７０は、本書で説明するネットワーク・ノード１６機能を実行するための１つ以上のプロセッサ７０に対応する。メモリ７２は、本書に記載のデータ、プログラム・ソフトウェア・コード、及び／又は他の情報を記憶するように構成される。いくつかの実施形態で、ソフトウェア７４は、プロセッサ７０及び／又は処理回路６８によって実行されると、ネットワーク・ノード１６に関して本書で説明されるプロセスをプロセッサ７０及び／又は処理回路６８に実行させる命令を含んでもよい。例えば、ネットワーク・ノード１６の処理回路６８は、参照信号リソース・セットの構成を無線インタフェース６２に送信させるように構成された参照信号（ＲＳ）構成ユニット３２を含んでもよく、送信された構成の少なくとも１つのパラメータは、参照信号リソース・セットの参照信号リソースを使用してＷＤ２２によって周波数同期が実行可能であるかどうかを判定する。
【００５６】
代替の実施形態で、ネットワーク・ノード１６の処理回路６８は、無線インタフェース６２に、参照信号リソース・セットの構成をＷＤ２２へ送信させるよう構成され、送信された構成の少なくとも１つのパラメータは、ＷＤ２２が参照信号リソース・セットのすべての参照信号リソースについて同じアンテナ・ポートを想定可能であるかどうかを判定する。
【００５７】
ネットワーク・ノード１６のいくつかの実施形態で、処理回路６８（例えば、ＲＳ構成ユニット３２）は、無線インタフェース６２に参照信号リソース・セットの構成を送信させ、送信された構成の少なくとも１つのパラメータが、参照信号リソース・セットの参照信号リソースを使用してＷＤ２２によって周波数同期が実行可能であるかどうかを判定するようにさらに構成される。いくつかの実施形態で、参照信号リソース・セットは、少なくとも１つのスロットにおける単一シンボル及び１ポート参照信号リソースのセットである。いくつかの実施形態で、処理回路６８（例えば、ＲＳ構成ユニット３２）は、無線インタフェース６２に、参照信号リソース・セットの送信された構成に従って参照信号リソース・セットの参照信号リソースをＷＤ２２へ送信させるように構成される。いくつかの実施形態で、少なくとも１つのパラメータは、ＷＤ２２が、参照信号リソース・セットのすべての参照信号リソースについて同じアンテナ・ポートを想定可能であるかどうかを示す。いくつかの実施形態で、処理回路６８（例えば、ＲＳ構成ユニット３２）は、無線リソース制御（ＲＲＣ）メッセージで設定された参照信号リソースの構成を無線インタフェース６２に送信させるようにさらに構成される。いくつかの実施形態で、少なくとも１つのパラメータは、参照信号リソース・セットの参照信号リソースが同じ無線周波数（ＲＦ）無線チェーンを使用して送信されるかどうかを示す。いくつかの実施形態で、少なくとも１つのパラメータは、参照信号リソース・セットの参照信号リソースが同じプリコーダを使用して送信されるかどうかを示す。いくつかの実施形態で、少なくとも１つのパラメータは、参照信号リソース・セットの参照信号リソースが同じアンテナ・パネルを使用して送信されるかどうかを示す。いくつかの実施形態で、少なくとも１つのパラメータは、ＷＤ２２が、参照信号リソース・セットに対して実行された測定に基づいて、チャネル状態情報（ＣＳＩ）をネットワーク・ノード１６へ報告すべきかどうかを示す。いくつかの実施形態で、処理回路６８は、少なくとも１つのパラメータが、参照信号リソース・セットの参照信号リソースを使用してＷＤ２２によって周波数同期が実行可能でないことを示すならば、無線インタフェース６２にＷＤ２２からチャネル状態情報（ＣＳＩ）報告を受信させるようにさらに構成される。
【００５８】
いくつかの実施形態で、ＲＳ構成ユニット３２は、参照信号リソース・セットの構成を示す少なくとも１つのパラメータを送信するように構成されてもよく、参照信号リソース・セットの構成は、参照信号リソース・セットを使用してワイヤレス・デバイスによって周波数同期が実行可能であるかどうかを判定する。いくつかの実施形態で、処理回路６８は、オプションとして、無線インタフェース６２に、参照信号リソース・セットの構成に基づいて参照信号リソース・セットをコヒーレントと非コヒーレントとの一方で送信させ、及び／又は参照信号リソース・セットがコヒーレントと非コヒーレントとの一方で送信されるべきかどうかに基づいて、少なくとも１つのパラメータを送信させるようにさらに構成されてもよい。
【００５９】
通信システム１０は、既に参照したＷＤ２２をさらに含む。ＷＤ２２は、ＷＤ２２が現在位置しているカバレッジ・エリア１８にサービスするネットワーク・ノード１６とのワイヤレス接続６４をセットアップ及び維持するように構成された無線インタフェース８２を含んでもよいハードウェア８０を有してもよい。無線インタフェース８２は、例えば、１つ以上のＲＦ送信機、１つ以上のＲＦ受信機、及び／又は１つ以上のＲＦ送受信機として形成されてもよいし、又はこれらを含んでもよい。
【００６０】
ＷＤ２２のハードウェア８０は、処理回路８４をさらに含む。処理回路８４は、プロセッサ８６及びメモリ８８を含んでもよい。特に、従来のプロセッサ及びメモリに加えて、処理回路８４は、処理及び／又は制御のための集積回路、例えば、命令を実行するように適合された１つ以上のプロセッサ及び／又はプロセッサ・コア及び／又はＦＰＧＡ（フィールド・プログラマブル・ゲート・アレイ）及び／又はＡＳＩＣ（特定用途向け集積回路）を備えてもよい。プロセッサ８６は、任意の種類の揮発性及び／又は不揮発性メモリ、例えば、キャッシュ及び／又はバッファ・メモリ及び／又はＲＡＭ（ランダム・アクセス・メモリ）及び／又はＲＯＭ（リード・オンリ・メモリ）及び／又は光学メモリ及び／又はＥＰＲＯＭ（消去可能プログラマブル・リード・オンリ・メモリ）を備えてもよいメモリ８８にアクセスする（例えば、書き込む及び／又は読み出す）ように構成されてもよい。
【００６１】
よって、ＷＤ２２は、例えば、ＷＤ２２のメモリ８８に記憶されるか、又はＷＤ２２によってアクセス可能な外部メモリ（例えば、データベース）に記憶されるソフトウェア９０をさらに備えてもよい。ソフトウェア９０は、処理回路８４によって実行可能であってもよい。ソフトウェア９０は、クライアント・アプリケーション９２を含んでもよい。クライアント・アプリケーション９２は、ホスト・コンピュータ２４のサポートと共に、ＷＤ２２を介して人間又は非人間のユーザへサービスを提供するように動作可能であってもよい。ホスト・コンピュータ２４において、実行中のホスト・アプリケーション５０は、ＷＤ２２及びホスト・コンピュータ２４で終端するＯＴＴ接続５２を介して、実行中のクライアント・アプリケーション９２と通信してもよい。サービスをユーザへ提供する際に、クライアント・アプリケーション９２は、ホスト・アプリケーション５０から要求データを受信し、要求データに応答してユーザ・データを提供してもよい。ＯＴＴ接続５２は、要求データ及びユーザ・データの両方を転送してもよい。クライアント・アプリケーション９２は、ユーザと相互作用して、それが提供するユーザ・データを生成してもよい。処理回路８４は、本書で説明する方法及び／又はプロセスのいずれかを制御するように、及び／又はこのような方法及び／又はプロセスを、例えばＷＤ２２によって実行させるように構成されてもよい。プロセッサ８６は、本書で説明するＷＤ２２機能を実行するための１つ以上のプロセッサ８６に対応する。ＷＤ２２は、本書に記載のデータ、プログラム・ソフトウェア・コード、及び／又は他の情報を記憶するように構成されたメモリ８８を含む。いくつかの実施形態で、ソフトウェア９０及び／又はクライアント・アプリケーション９２は、プロセッサ８６及び／又は処理回路８４によって実行される場合に、プロセッサ８６及び／又は処理回路８４に、ＷＤ２２に関して本書で説明されるプロセスを実行させる命令を含んでもよい。例えば、ワイヤレス・デバイス２２の処理回路８４は、無線インタフェース８２に、ネットワーク・ノード１６から参照信号リソース・セットの構成を受信させ、受信された構成の少なくとも１つのパラメータに基づいて、参照信号リソース・セットの参照信号リソースを使用して周波数同期が実行可能であるかどうかを判定するように構成された周波数同期ユニット３４を含んでもよい。
【００６２】
代替の実施形態で、ＷＤ２２の処理回路８４は、無線インタフェース８２に、ネットワーク・ノード１６から参照信号リソース・セットの構成を受信させ、受信された構成の少なくとも１つのパラメータに基づいて、ＷＤ２２が参照信号リソース・セットのすべての参照信号リソースに対して同じアンテナ・ポートを想定可能であるかどうかを判定するように構成される。
【００６３】
ＷＤ２２のいくつかの実施形態で、参照信号リソース・セットは、少なくとも１つのスロットにおける単一シンボル及び１ポート参照信号リソースのセットである。いくつかの実施形態で、処理回路８４（例えば、周波数同期ユニット３４）は、参照信号リソース・セットの参照信号リソースを使用して周波数同期が実行可能であるという判定の結果として、参照信号リソースを使用して周波数同期を実行するようにさらに構成される。いくつかの実施形態で、処理回路８４（例えば、周波数同期ユニット３４）は、参照信号リソース・セットの参照信号リソース間の位相差に基づいて周波数同期を実行するように構成される。いくつかの実施形態で、処理回路８４（例えば、周波数同期ユニット３４）は、少なくとも１つのパラメータに基づいて参照信号リソース・セットがトラッキング参照信号バーストとして使用可能であることを判定するように構成されることによって、周波数同期が実行可能であるかどうかを判定するように構成される。いくつかの実施形態で、処理回路８４（例えば、周波数同期ユニット３４）は、参照信号リソース・セットの構成に従って、無線インタフェース８２に参照信号リソースを受信させ、受信した参照信号リソースを用いて周波数同期を実行するように構成される。いくつかの実施形態で、少なくとも１つのパラメータは、ＷＤ２２が、参照信号リソース・セットのすべての参照信号リソースに対して同じアンテナ・ポートを想定可能であるかどうかを示す。いくつかの実施形態で、少なくとも１つのパラメータは、参照信号リソース・セットの参照信号リソースが同じ無線周波数（ＲＦ）無線チェーンを使用してネットワーク・ノード１６によって送信されるかどうかを示す。いくつかの実施形態で、少なくとも１つのパラメータは、参照信号リソース・セットの参照信号リソースが同じプリコーダを使用してネットワーク・ノード１６によって送信されるかどうかを示す。いくつかの実施形態で、少なくとも１つのパラメータは、参照信号リソース・セットの参照信号リソースが同じアンテナ・パネルを使用してネットワーク・ノード１６によって送信されるかどうかを示す。いくつかの実施形態で、参照信号リソース・セットの構成は、無線インタフェース８２を介して、無線リソース制御（ＲＲＣ）メッセージで受信される。いくつかの実施形態で、処理回路８４（例えば、周波数同期ユニット３４）は、少なくとも１つのパラメータに基づいて、参照信号リソース・セット上で実行された測定からチャネル状態情報（ＣＳＩ）をネットワーク・ノード１６へ報告するかどうかを判定するようにさらに構成される。
【００６４】
いくつかの実施形態で、処理回路８４は、参照信号リソース・セットの構成を示す少なくとも１つのパラメータを受信することと、少なくとも１つのパラメータを使用して、参照信号リソース・セットの構成を判定することと、判定された構成に基づいて、参照信号リソース・セットを使用して周波数同期が実行可能であるかどうかを判定することと、を行うように構成されてもよい。いくつかの実施形態で、処理回路８４（例えば、周波数同期ユニット３４）は、少なくとも１つのパラメータ及び／又は参照信号リソース・セットの構成に基づいて参照信号リソース・セットに対して周波数同期を実行するように又は実行しないようにさらに構成されてもよい。いくつかの実施形態で、処理回路８４はまた、少なくとも１つのパラメータ及び／又は参照信号リソース・セットの構成に基づいて、ＣＳＩをネットワーク・ノード１６へ報告するように又は報告しないように構成されてもよい。
【００６５】
図４及び図５は、周波数同期ユニット３４、監視ユニット５４、及びＲＳ構成ユニット３２のような様々な「ユニット」を、個別のプロセッサ内にあるものとして示しているが、これらのユニットは、ユニットの一部が処理回路内の対応するメモリに記憶されるように実装されてもよいことが企図される。言い換えれば、ユニットは、ハードウェアで、又は処理回路内のハードウェアとソフトウェアとの組み合わせで実装されてもよい。
【００６６】
いくつかの実施形態で、ネットワーク・ノード１６、ＷＤ２２、及びホスト・コンピュータ２４の内部機能は、図５に示されているようなものであってもよく、独立して、周囲のネットワーク・トポロジは、図４のものであってもよい。
【００６７】
図５において、ＯＴＴ接続５２は、ネットワーク・ノード１６を介したホスト・コンピュータ２４とワイヤレス・デバイス２２との間の通信を説明するために、任意の中間デバイスへの明示的な参照及びこれらのデバイスを介したメッセージの正確なルーティングなしに抽象的に描かれている。ネットワーク・インフラストラクチャは、ＷＤ２２から、又はホスト・コンピュータ２４を動作するサービス・プロバイダから、又はその両方から隠すように構成されてもよいルーティングを決定してもよい。ＯＴＴ接続５２がアクティブである間、ネットワーク・インフラストラクチャは、（例えば、ネットワークの負荷バランスの考慮又は再構成に基づく）ルーティングを動的に変更する決定をさらに行ってもよい。
【００６８】
ＷＤ２２とネットワーク・ノード１６との間のワイヤレス接続６４は、本開示全体にわたって説明される実施形態の教示に従う。様々な実施形態のうちの１つ以上は、ＯＴＴ接続５２を使用してＷＤ２２に提供されるＯＴＴサービスの性能を改善し、ＯＴＴ接続５２において、ワイヤレス接続６４は最後のセグメントを形成してもよい。より正確には、これらの実施形態のいくつかの教示は、データ・レート、レイテンシ、及び／又は電力消費を改善し、これによって、ユーザの待ち時間の減少、ファイル・サイズに対する緩和制限、より良好な応答性、バッテリ寿命の延長などの利点を提供できる。
【００６９】
いくつかの実施形態で、測定手順は、データ・レート、レイテンシ、及び１つ以上の実施形態が改善する他の要因を監視する目的で提供されてもよい。測定結果の変動に応答して、ホスト・コンピュータ２４とＷＤ２２との間のＯＴＴ接続５２を再構成するためのオプションのネットワーク機能がさらに存在してもよい。ＯＴＴ接続５２を再構成するための測定手順及び／又はネットワーク機能は、ホスト・コンピュータ２４のソフトウェア４８、又はＷＤ２２のソフトウェア９０、又はその両方において実装されてもよい。実施形態で、ＯＴＴ接続５２が通過する通信デバイス内に、又はこの通信デバイスに関連してセンサ（図示せず）が配置されてもよい。センサは、上で例示された監視された量の値を供給することによって、又はソフトウェア４８、９０が監視された量を計算又は推定できる他の物理量の値を供給することによって、測定手順に参加できる。ＯＴＴ接続５２の再構成は、メッセージ・フォーマット、再送設定、好ましいルーティングなどを含んでもよい。再構成は、ネットワーク・ノード１６に影響を及ぼす必要はなく、ネットワーク・ノード１６に知られていないか、又は知覚不能であってもよい。いくつかのこのような手順及び機能は、当技術分野で公知であり、実施されてもよい。特定の実施形態で、測定は、スループット、伝搬時間、レイテンシなどのホスト・コンピュータ２４の測定を容易にする専用のＷＤシグナリングを含んでもよい。いくつかの実施形態で、ソフトウェア４８、９０が、ＯＴＴ接続５２を使用してメッセージ、特に空のメッセージ又は「ダミー」メッセージを送信する一方で、伝搬時間、エラーなどを監視するように、測定が実施されてもよい。
【００７０】
図６は、本書で説明される機能を実行するためにプロセッサによって実行可能なソフトウェアを含むソフトウェア・モジュールによって少なくとも部分的に実装されてもよい代替のホスト・コンピュータ２４のブロック図である。ホスト・コンピュータ２４は、通信システム１０の異なる通信デバイスのインタフェースとの有線又は無線接続をセットアップ及び維持するように構成された通信インタフェース・モジュール９４を含む。メモリ・モジュール９６は、本書に記載のデータ、プログラム・ソフトウェア・コード、及び／又は他の情報を記憶するように構成される。監視モジュール９８は、サービス・プロバイダがネットワーク・ノード１６及び／又はワイヤレス・デバイス２２を監視することを可能にするように構成される。
【００７１】
図７は、本書で説明される機能を実行するためにプロセッサによって実行可能なソフトウェアを含むソフトウェア・モジュールによって少なくとも部分的に実装されてもよい代替のネットワーク・ノード１６のブロック図である。ネットワーク・ノード１６は、ネットワーク・ノード１６によってサービスされるカバレッジ・エリア１８に位置するＷＤ２２との少なくともワイヤレス接続６４をセットアップ及び維持するように構成された無線インタフェース・モジュール１００を含む。ネットワーク・ノード１６はまた、通信システム１０の異なる通信デバイスのインタフェースとの有線又は無線接続をセットアップ及び維持するように構成された通信インタフェース・モジュール１０２を含む。通信インタフェース・モジュール１０２はまた、ホスト・コンピュータ２４への接続６６を容易にするように構成されてもよい。メモリ・モジュール１０４は、本書で説明されるデータ、プログラム・ソフトウェア・コード、及び／又は他の情報を記憶するように構成される。参照信号（ＲＳ）構成モジュール１０６は、ワイヤレス・デバイス（ＷＤ）２２へ参照信号リソース・セットの構成を示すための少なくとも１つのパラメータを送信するように構成され、参照信号リソース・セットの構成は、参照信号リソース・セットを使用してＷＤ２２によって周波数同期が実行可能であるかどうかを判定する。いくつかの実施形態で、ＲＳ構成モジュール１０６は、無線インタフェース６２に、参照信号リソース・セットをコヒーレントと非コヒーレントとの一方で送信させるようにさらに構成されてもよく、参照信号リソース・セットがコヒーレントと非コヒーレントとの一方で送信されるかどうかに基づいて、少なくとも１つのパラメータを送信してもよい。
【００７２】
図８は、本書で説明される機能を実行するためにプロセッサによって実行可能なソフトウェアを含むソフトウェア・モジュールによって少なくとも部分的に実装されてもよい代替のワイヤレス・デバイス２２のブロック図である。ＷＤ２２は、ＷＤ２２が現在位置しているカバレッジ・エリア１８にサービスするネットワーク・ノード１６とのワイヤレス接続６４をセットアップ及び維持するように構成された無線インタフェース・モジュール１０８を含む。メモリ・モジュール１１０は、本書に記載されたデータ、プログラム・ソフトウェア・コード、及び／又は他の情報を記憶するように構成される。周波数同期モジュール１１２は、無線インタフェース８２に、参照信号リソース・セットの構成を示す少なくとも１つのパラメータを受信させることと、少なくとも１つのパラメータを使用して、参照信号リソース・セットの構成を判定することと、判定された構成に基づいて、参照信号リソース・セットを使用して周波数同期が実行可能であるかどうかを判定することとを行うように構成される。いくつかの実施形態で、周波数同期モジュール１１２は、少なくとも１つのパラメータ及び／又は参照信号リソース・セットの構成に基づいて参照信号リソース・セットに対して周波数同期を実行するように又は実行しないようにさらに構成されてもよい。いくつかの実施形態では、周波数同期モジュール１１２はまた、少なくとも１つのパラメータ及び／又は参照信号リソース・セットの構成に基づいて、ＣＳＩをネットワーク・ノード１６へ報告するように又は報告しないように構成されてもよい。
【００７３】
図９は、一実施形態による、例えば図４及び図５の通信システムのような通信システムにおいて実施される例示的な方法を示すフローチャートである。通信システムは、ホスト・コンピュータ２４、ネットワーク・ノード１６、及びＷＤ２２を含んでもよく、これらは、図５を参照して説明されたものであってもよい。方法の第１ステップにおいて、ホスト・コンピュータ２４は、ユーザ・データを提供する（ブロックＳ１００）。第１ステップのオプションのサブステップにおいて、ホスト・コンピュータ２４は、例えばホスト・アプリケーション７４のようなホスト・アプリケーションを実行することによってユーザ・データを提供する（ブロックＳ１０２）。第２ステップにおいて、ホスト・コンピュータ２４は、ＷＤ２２へユーザ・データを搬送する送信を開始する（ブロックＳ１０４）。オプションの第３ステップにおいて、ネットワーク・ノード１６は、この開示全体にわたって説明される実施形態の教示に従って、ホスト・コンピュータ２４が開始した送信において搬送されたユーザ・データをＷＤ２２へ送信する（ブロックＳ１０６）。オプションの第４ステップにおいて、ＷＤ２２は、ホスト・コンピュータ２４によって実行されるホスト・アプリケーション７４に関連付けられたクライアント・アプリケーション、例えばクライアント・アプリケーション１１４を実行する（ブロックＳ１０８）。
【００７４】
図１０は、一実施形態による、例えば図４の通信システムのような通信システムにおいて実施される例示的な方法を示すフローチャートである。通信システムは、ホスト・コンピュータ２４、ネットワーク・ノード１６、及びＷＤ２２を含んでもよく、これらは、図４及び図５を参照して説明されたものであってもよい。方法の第１ステップにおいて、ホスト・コンピュータ２４は、ユーザ・データを提供する（ブロックＳ１１０）。オプションのサブステップ（図示せず）において、ホスト・コンピュータ２４は、例えばホスト・アプリケーション７４のようなホスト・アプリケーションを実行することによってユーザ・データを提供する。第２ステップにおいて、ホスト・コンピュータ２４は、ＷＤ２２へユーザ・データを搬送する送信を開始する（ブロックＳ１１２）。送信は、この開示全体にわたって説明される実施形態の教示に従って、ネットワーク・ノード１６を介して渡されてもよい。オプションの第３ステップにおいて、ＷＤ２２は、送信において搬送されたユーザ・データを受信する（ブロックＳ１１４）。
【００７５】
図１１は、一実施形態による、例えば図４の通信システムのような通信システムにおいて実施される例示的な方法を示すフローチャートである。通信システムは、ホスト・コンピュータ２４、ネットワーク・ノード１６、及びＷＤ２２を含んでもよく、これらは、図４及び図５を参照して説明されたものであってもよい。方法のオプションの第１ステップにおいて、ＷＤ２２は、ホスト・コンピュータ２４によって提供された入力データを受信する（ブロックＳ１１６）。第１ステップのオプションのサブステップにおいて、ＷＤ２２は、クライアント・アプリケーション１１４を実行し、クライアント・アプリケーション１１４は、ホスト・コンピュータ２４によって提供された受信入力データに反応してユーザ・データを提供する（ブロックＳ１１８）。追加的又は代替的に、オプションの第２ステップにおいて、ＷＤ２２は、ユーザ・データを提供する（ブロックＳ１２０）。第２ステップのオプションのサブステップにおいて、ＷＤは、例えば、クライアント・アプリケーション１１４のようなクライアント・アプリケーションを実行することによってユーザ・データを提供する（ブロックＳ１２２）。ユーザ・データを提供する際に、実行されたクライアント・アプリケーション１１４は、ユーザから受信されたユーザ入力をさらに考慮してもよい。ユーザ・データが提供された特定の方法に関係なく、ＷＤ２２は、オプションの第３サブステップにおいて、ホスト・コンピュータ２４へのユーザ・データの送信を開始してもよい（ブロックＳ１２４）。方法の第４ステップにおいて、ホスト・コンピュータ２４は、この開示全体にわたって説明される実施形態の教示に従って、ＷＤ２２から送信されたユーザ・データを受信する（ブロックＳ１２６）。
【００７６】
図１２は、一実施形態による、例えば図４の通信システムのような通信システムにおいて実施される例示的な方法を示すフローチャートである。通信システムは、ホスト・コンピュータ２４、ネットワーク・ノード１６、及びＷＤ２２を含んでもよく、これらは、図４及び図５を参照して説明されたものであってもよい。方法のオプションの第１ステップにおいて、この開示全体にわたって説明される実施形態の教示に従って、ネットワーク・ノード１６は、ＷＤ２２からユーザ・データを受信する（ブロックＳ１２８）。オプションの第２ステップにおいて、ネットワーク・ノード１６は、受信したユーザ・データのホスト・コンピュータ２４への送信を開始する（ブロックＳ１３０）。第３ステップにおいて、ホスト・コンピュータ２４は、ネットワーク・ノード１６によって開始された送信において搬送されるユーザ・データを受信する（ブロックＳ１３２）。
【００７７】
図１３は、例えばＲＳ構成ユニット３２を介してネットワーク・ノード１６において実施される例示的なプロセスのフローチャートである。プロセスは、例えば無線インタフェース６２を介して、参照信号リソース・セットの構成を送信することを含み、送信された構成の少なくとも１つのパラメータは、参照信号リソース・セットの参照信号リソースを使用してＷＤ２２によって周波数同期が実行可能であるかどうかを判定する（ブロックＳ１３４）。
【００７８】
図１４は、ネットワーク・ノード１６において実施されるプロセスの代替実施形態のフローチャートである。プロセスは、例えば無線インタフェース６２を介して、ＷＤ２２へ参照信号リソース・セットの構成を送信することを含み、送信された構成の少なくとも１つのパラメータは、ＷＤ２２が参照信号リソース・セットのすべての参照信号リソースに対して同じアンテナ・ポートを想定可能であるかどうかを判定する（ブロックＳ１３６）。
【００７９】
ネットワーク・ノード１６のための例示的なプロセスのいくつかの実施形態で、参照信号リソース・セットは、少なくとも１つのスロットにおける単一シンボル及び１ポート参照信号リソースのセットである。いくつかの実施形態で、方法は、例えば無線インタフェース６２を介して、参照信号リソース・セットの送信された構成に従って参照信号リソース・セットの参照信号リソースをＷＤ２２へ送信することを含む。いくつかの実施形態で、少なくとも１つのパラメータは、ＷＤ２２が参照信号リソース・セットのすべての参照信号リソースに対して同じアンテナ・ポートを想定可能であるかどうかを示す。いくつかの実施形態で、方法は、例えば無線インタフェース６２を介して、無線リソース制御（ＲＲＣ）メッセージにおいて参照信号リソース・セットの構成を送信することをさらに含む。いくつかの実施形態で、少なくとも１つのパラメータは、参照信号リソース・セットの参照信号リソースが同じ無線周波数（ＲＦ）無線チェーンを使用して送信されるかどうかを示す。いくつかの実施形態で、少なくとも１つのパラメータは、参照信号リソース・セットの参照信号リソースが同じプリコーダを使用して送信されるかどうかを示す。いくつかの実施形態で、少なくとも１つのパラメータは、参照信号リソース・セットの参照信号リソースが同じアンテナ・パネルを使用して送信されるかどうかを示す。いくつかの実施形態で、少なくとも１つのパラメータは、ＷＤ２２が、参照信号リソース・セットに対して実行された測定に基づいて、チャネル状態情報（ＣＳＩ）をネットワーク・ノード１６へ報告すべきかどうかを示す。いくつかの実施形態で、方法は、少なくとも１つのパラメータが、参照信号リソース・セットの参照信号リソースを使用してＷＤ２２によって周波数同期が実行可能でないことを示すならば、ＷＤ２２からチャネル状態情報（ＣＳＩ）報告を受信することをさらに含む。
【００８０】
いくつかの実施形態で、プロセスは、参照信号リソース・セットの構成を示す少なくとも１つのパラメータを送信することを含んでもよく、参照信号リソース・セットの構成は、参照信号リソース・セットを使用してワイヤレス・デバイスによって周波数同期が実行可能であるかどうかを判定する。いくつかの実施形態で、プロセスは、オプションとして、例えば無線インタフェース６２を介して、参照信号リソース・セットの構成に基づいて、参照信号リソース・セットをコヒーレントと非コヒーレントとの一方で、ＷＤ２２へ送信することをさらに含んでもよい。
【００８１】
図１５は、ワイヤレス・デバイス２２によって実行される例示的なプロセスのフローチャートである。プロセスは、例えば無線インタフェース８２を介して、ネットワーク・ノード１６から参照信号リソース・セットの構成を受信することを含む（ブロックＳ１３８）。プロセスは、受信された構成の少なくとも１つのパラメータに基づいて、例えば周波数同期ユニット３４を介して、参照信号リソース・セットの参照信号リソースを使用して周波数同期が実行可能であるかどうかを判定することを含む（ブロックＳ１４０）。
【００８２】
図１６は、ワイヤレス・デバイス２２において実施されるプロセスの代替実施形態のフローチャートであり、ワイヤレス・デバイスは、ネットワーク・ノード１６と通信するように構成される。プロセスは、ネットワーク・ノード１６から参照信号リソース・セットの構成を受信することを含む（ブロックＳ１４２）。代替プロセスは、受信された構成の少なくとも１つのパラメータに基づいて、ＷＤ２２が参照信号リソース・セットのすべての参照信号リソースに対して同じアンテナ・ポートを想定可能であるかどうかを判定することを含む（ブロックＳ１４４）。
【００８３】
ワイヤレス・デバイス２２の例示的なプロセスのいくつかの実施形態で、参照信号リソース・セットは、少なくとも１つのスロットにおける単一シンボル及び１ポート参照信号リソースのセットである。いくつかの実施形態で、方法は、例えば周波数同期ユニット３４を介して、参照信号リソース・セットの参照信号リソースを使用して周波数同期が実行可能であるという判定の結果として、参照信号リソースを使用して周波数同期を実行することをさらに含む。いくつかの実施形態で、周波数同期は、参照信号リソース・セットの参照信号リソース間の位相差に基づいて、例えば周波数同期ユニット３４を介して実行される。いくつかの実施形態で、周波数同期が実行可能であるかどうかを判定することは、少なくとも１つのパラメータに基づいて、参照信号リソース・セットがトラッキング参照信号バーストとして使用可能であることを判定することを含む。いくつかの実施形態で、方法は、例えば無線インタフェース８２を介して、参照信号リソース・セットの構成に従って参照信号リソースを受信することと、例えば周波数同期ユニット３４を介して、受信された参照信号リソースを用いて周波数同期を実行することとをさらに含む。いくつかの実施形態で、少なくとも１つのパラメータは、ＷＤ２２が参照信号リソース・セットのすべての参照信号リソースに対して同じアンテナ・ポートを想定可能であるかどうかを示す。いくつかの実施形態で、少なくとも１つのパラメータは、参照信号リソース・セットの参照信号リソースが同じ無線周波数（ＲＦ）無線チェーンを使用してネットワーク・ノード１６によって送信されるかどうかを示す。いくつかの実施形態で、少なくとも１つのパラメータは、参照信号リソース・セットの参照信号リソースが同じプリコーダを使用してネットワーク・ノード１６によって送信されるかどうかを示す。いくつかの実施形態で、少なくとも１つのパラメータは、参照信号リソース・セットの参照信号リソースが同じアンテナ・パネルを使用してネットワーク・ノード１６によって送信されるかどうかを示す。いくつかの実施形態で、参照信号リソース・セットの構成は、無線リソース制御（ＲＲＣ）メッセージにおいて受信される。いくつかの実施形態で、方法は、少なくとも１つのパラメータに基づいて、参照信号リソース・セット上で実行された測定からのチャネル状態情報（ＣＳＩ）をネットワーク・ノード１６へ報告するかどうかを、例えば周波数同期ユニット３４を介して判定することをさらに含む。
【００８４】
いくつかの実施形態で、プロセスは、参照信号リソース・セットの構成を示す少なくとも１つのパラメータを受信することと、例えば周波数同期ユニット３４を介して、少なくとも１つのパラメータを使用して参照信号リソース・セットの構成を判定することと、判定された構成に基づいて、例えば周波数同期ユニット３４を介して、参照信号リソース・セットを使用して周波数同期が実行可能であるかどうかを判定することとを含んでもよい。
【００８５】
いくつかの実施形態で、プロセスは、少なくとも１つのパラメータ及び／又は参照信号リソース・セットの構成に基づいて参照信号リソース・セットに対して、例えば周波数同期ユニット３４を介して、周波数同期を実行すること又は実行しないことをさらに含んでもよい。いくつかの実施形態で、プロセスはまた、少なくとも１つのパラメータ及び／又は参照信号リソース・セットの構成に基づいて、ＣＳＩをネットワーク・ノード１６へ報告すること又は報告しないことを含んでもよい。
【００８６】
この開示のいくつかの実施形態を説明したが、実施形態のうちの少なくともいくつかのより詳細な説明を以下に行う。本開示のいくつかの実施形態は、例えば、ＷＤ２２（例えば、ＵＥ）による周波数推定を可能にするために、ＣＳＩ−ＲＳフレームワークが使用されることを可能にするように異なるＲＳリソースが構成されてもよいことを提供する。
【００８７】
いくつかの実施形態で、ＣＳＩ−ＲＳリソース・セットを構成するＣＳＩ−ＲＳリソースは、ネットワーク・ノード１７、例えば基地局（例えば、ｇＮＢ）によってコヒーレントに送信される。さらなる実施形態で、コヒーレンシのために、ｇＮＢは、同じ送信ポイントから同じプリコーダを使用してセットのすべてのＣＳＩ−ＲＳリソースを送信してもよい。しかし、いくつかの実施形態で、これは、コヒーレンシを保証するのに十分でないかもしれない。
【００８８】
よって、さらなる実施形態で、ＴＲＳバーストの送信中に、送信されるＴＲＳの絶対位相が変化することを許されなくてもよい。したがって、このような実施形態で、ネットワーク・ノード１６によって、異なるＯＦＤＭシンボル中のＣＳＩ−ＲＳリソースの各々を送信するために同じ無線周波数（ＲＦ）無線チェーンが使用されてもよく、ＣＳＩ−ＲＳリソース送信間でＲＦの位相変動が回避されてもよい（例えば、送信電力差に起因する潜在的な電力増幅器（ＰＡ）の位相変動を回避するように、一定の電力で可能である）。
【００８９】
さらに別の実施形態で、ＴＲＳバーストを構成するすべてのＣＳＩ−ＲＳリソース送信は、同じアンテナ・パネル、同じＲＦチェーン、及び同じコンポーネント・キャリアから由来してもよい。
【００９０】
いくつかの実施形態で、ＴＲＳを同じビームで伝送することは十分でないかもしれない。よって、いくつかの実施形態は、ＴＲＳが周波数同期に使用可能であることをＷＤ２２が知らされてもよいように、リソース・セット内のすべてのＣＳＩ−ＲＳリソースがコヒーレントに送信されることをネットワーク・ノード１６が指定する可能性に備える。
【００９１】
さらに、ＣＳＩ−ＲＳと比較すると、いくつかの実施形態で、ネットワーク・ノード１６（例えば、基地局）へのＣＳＩ報告は、ＴＲＳについてワイヤレス・デバイス２２（例えば、ＵＥ）によって提供されなくてもよい。
【００９２】
よって、いくつかの実施形態で、ネットワーク・ノード１６（例えば、ｇＮＢ）は、ＷＤ２２（例えば、ＵＥ）に、ＷＤ２２が、細かな時間及び周波数同期を実行するためのトラッキング参照信号としてＣＳＩ−ＲＳリソースのセットを使用できることを知らせる。ＷＤ２２は、ＣＳＩ−ＲＳリソース・セットが周波数同期に使用可能であること（及び異なるＣＳＩ−ＲＳリソースが、ネットワーク・ノード１６からコヒーレントに送信されていること）をネットワーク・ノード１６によって知らされてもよく、又はいくつかの実施形態で、ＷＤ２２は、ＣＳＩ−ＲＳリソースがコヒーレントであることを保証する方法で、特定のＣＳＩ−ＲＳフォーマットが常に送信されることを想定するように構成されてもよい。
【００９３】
一実施形態で、無線リソース制御（ＲＲＣ）構成パラメータは、異なるＣＳＩ−ＲＳリソースがネットワーク・ノード１６からコヒーレントに送信されることを想定可能であることをＷＤ２２に通知するために使用可能であるパラメータを含んでもよい。異なるＣＳＩ−ＲＳリソースがネットワーク・ノード１６からコヒーレントに送信されたことをパラメータがＷＤ２２に示すならば、ＷＤ２２は、周波数同期及び細かな時間同期を実行するためにＣＳＩ−ＲＳセットを使用してもよい。そうでないならば、ＷＤ２２は、それでも、細かな時間同期のためにＣＳＩ−ＲＳセットを使用してもよいが、周波数同期のためには使用しなくてもよい。
【００９４】
さらに、いくつかの実施形態で、異なるＣＳＩ−ＲＳリソースがネットワーク・ノード１６からコヒーレントに送信されることをＷＤ２２が想定可能であることをＷＤ２２に通知するために使用可能であるパラメータを構成パラメータが含むならば、パラメータに関連付けられた受信ＣＳＩ−ＲＳが通常のＣＳＩ−ＲＳではないことと、このＣＳＩ−ＲＳセットからの測定に基づいてＷＤ２２がチャネル状態情報（ＣＳＩ）を報告する必要がないこととを通知するためにもこのようなパラメータが使用可能である。
【００９５】
ここで図１７を参照して、いくつかの実施形態において、ネットワーク・ノード１６（例えば、ｇＮＢ）は、ステップＳ１５０において、ＷＤ２２（例えば、ＵＥ）を構成する。その後、ＷＤ２２は、時間及び周波数同期のために使用可能であるシンボルを知ってもよい。その後、ＷＤ２２は、物理ダウンリンク共有チャネル（ＰＤＳＣＨ）を復調し、データを送信できる。ネットワーク・ノード１６は、ステップＳ１５２でＷＤ２２へ、時間及び周波数同期のために使用されてもよい参照信号のセットを送信してもよい。いくつかの実施形態で、参照信号のセットが通常のＣＳＩ−ＲＳであることを構成が示すならば、ＷＤ２２は、ステップＳ１５４においてＣＳＩを報告してもよい。
【００９６】
いくつかの実施形態で、構成は、リソース・セット中のＣＳＩ−ＲＳリソースが（相互に）コヒーレントに送信されるか否かをＣＳＩ−ＲＳ構成中のＲＲＣパラメータが示すような明示的であってもよい。他の実施形態で、ＣＳＩ−ＲＳ構成は、例えば、（ＷＤ２２によって決定又は検出されてもよい）特定のＣＳＩフォーマットが、リソース・セット中のＣＳＩ−ＲＳリソースが常にネットワーク・ノード１６によってコヒーレントに送信されることをＷＤ２２に示してもよいような暗黙的であってもよい。したがって、このような実施形態で、リソース・セット中のＣＳＩ−ＲＳリソースがコヒーレントに送信されるならば、ＷＤ２２は、周波数同期を実行できる。さらに、同様に、ＷＤ２２は、ＣＳＩが報告されるべきか否かも判定できる。言い換えれば、いくつかの実施形態で、ＣＳＩ−ＲＳソースがコヒーレントであり、周波数同期を実行するために使用されてもよいことをＷＤ２２が判定する又は知らされる場合に、ＷＤ２２は、ＣＳＩ報告がネットワーク・ノード１６へ送信されるべきではないことをさらに判定してもよい。
【００９７】
ここで図１８を参照して、最初のアクセス中に、ＷＤ２２は、ＳＳブロックの受信から大まかな時間及び周波数同期を取得してもよい（ブロックＳ１６０）。その後、ネットワーク・ノード１６は、（ＣＳＩ−ＲＳフレームワークを使用して）ＴＲＳを構成するために使用可能であるＲＲＣメッセージを送信してもよい（Ｓ１６２）。その後、ＷＤ２２は、ＴＲＳのフォーマット及び時間及び周波数同期のために使用されるべきシンボルを知ってもよい。よって、ＷＤ２２は、第１ＴＲＳバーストをどのように及びいつ受信すべきかを知ってもよい（Ｓ１６４）。ＷＤ２２が時間及び周波数同期を行うこと（Ｓ１６６）によって、ＷＤ２２はＰＤＳＣＨを受信でき（Ｓ１６８）、ＷＤ２２はＰＤＳＣＨを復調できる（Ｓ１７０）。ＷＤ２２はまた、ＴＲＳに関して実行された測定に基づいて微調整されるアップリンク（ＵＬ）送信でデータを送信できてもよい。ＴＲＳ（Ｙ）の周期性によって決定される何らかの時間の後、ＷＤ２２は新しいＴＲＳバーストを受信してもよく（Ｓ１７２）、ＷＤ２２は上述のようにネットワーク・ノード１６に再同期してもよく（Ｓ１７４）、例示的なプロセスは、ダウンリンク同期を提供するために本開示に記載される原理に従って継続してもよい。
【００９８】
いくつかの実施形態で、ＴＲＳは、例えばドップラー・シフト、発振器周波数誤差、発振器周波数ドリフトを補償するために、ＴＲＳリソースを使用して周波数同期を実行するためにＷＤ２２によって使用される。一例で、ＷＤ２２は、受信信号のキャリア周波数を推定することによって、及び、その推定値を使用して、ＷＤ２２内の発振器の周波数を同調させて受信信号のキャリア周波数に調整することによって、周波数同期を実行してもよい。受信信号のダウン・コンバートに同調された発振器を利用することによって、周波数オフセットに起因する位相誤差及びサブキャリア間干渉が取り除かれるか、又は残留誤差の場合には低減される。さらに、同調された発振器を利用してＷＤ２２アップリンク送信のためのキャリアを生成することによって、ＷＤ２２アップリンク送信のキャリア周波数とＢＳダウンリンク送信のキャリア周波数との間の周波数オフセットが取り除かれるか、又は残留誤差の場合には低減される。周波数同期という用語は、周波数推定と、ダウンリンク信号の受信を改善するため及び／又はアップリンク送信のキャリア周波数を調整するための周波数推定の使用との組み合わせに使用される。ダウンリンク信号の受信の改善は、サブキャリア間干渉及び／又は位相誤差の除去／低減によって達成される。サブキャリア間干渉及び／又は位相誤差の除去／低減は、ＷＤ２２発振器の同調及び受信信号のダウン・コンバートのためのこの発振器の使用を通じて達成されうるが、他の方法でも達成されうる。いくつかの実施形態で、構成は、リソース・セット中のＣＳＩ−ＲＳリソースがコヒーレントに送信されるかどうかをＣＳＩ−ＲＳ構成中のＲＲＣパラメータが示すような明示的でありうる。他の実施形態では、構成は、リソース・セット中のＣＳＩ−ＲＳリソースが常にコヒーレントに送信されることを特定のＣＳＩフォーマットが示すような暗黙的であってもよい。このような実施形態で、リソース・セット中のＣＳＩ−ＲＳリソースがコヒーレントに送信されるならば、ＷＤ２２は周波数同期を実行できる。さらに、同様に、ＷＤ２２は、ＣＳＩがネットワーク・ノード１６に報告されるべきか否かを判定することもできる。
【００９９】
本開示の実施形態は、有利なことに、ＣＳＩ−ＲＳフレームワークを再使用して、細かな時間及び周波数同期に使用可能であるトラッキング参照信号をセッツアップすることを提供する。いくつかの実施形態で、ＷＤ２２が周波数同期のためにトラッキング参照信号を使用できるようにＣＳＩ−ＲＳリソース・セット中の異なるＣＳＩ−ＲＳリソースの送信がコヒーレントに送信されることをＷＤ２２に通知するために使用されるパラメータをＣＳＩ−ＲＳ構成パラメータに追加すること。あるいは、ＷＤ２２は、ＣＳＩ−ＲＳ構成が一意的であってもよいので、ＣＳＩ−ＲＳ構成がトラッキング参照信号であることを意図されているか否かを暗黙的に判定してもよい。さらに、いくつかの実施形態で、ＣＳＩ−ＲＳがトラッキング参照信号として使用されるが意図されることをＷＤ２２が知っているならば、ＷＤ２２は、ＷＤ２２がＣＳＩをネットワーク・ノード１６へ報告しなくてもよいことを判定してもよい。
【０１００】
本開示のいくつかの実施形態は、以下を含む。
実施形態Ａ１。ワイヤレス・デバイス（ＷＤ）と通信するように構成されたネットワーク・ノードであって、無線インタフェース及び処理回路を備え、前記処理回路は、前記無線インタフェースに、参照信号リソース・セットの構成を示す少なくとも１つのパラメータを送信させるよう構成され、前記参照信号リソース・セットの前記構成は、前記参照信号リソース・セットを使用して前記ワイヤレス・デバイスによって周波数同期が実行可能であるかどうかを判定する、ネットワーク・ノード。
実施形態Ａ２。実施形態Ａ１に記載のネットワーク・ノードであって．前記処理回路は、前記無線インタフェースに、無線リソース制御メッセージにおいて前記少なくとも１つのパラメータを送信させるようにさらに構成される、ネットワーク・ノード。
実施形態Ａ３。実施形態Ａ１又はＡ２に記載のネットワーク・ノードであって、前記参照信号リソース・セットは、トラッキング参照信号（ＴＲＳ）バーストを含む、ネットワーク・ノード。
実施形態Ｂ１。ホスト・コンピュータを含む通信システムであって、
ユーザ・データを提供するように構成された処理回路と、
ワイヤレス・デバイス（ＷＤ）への送信のために前記ユーザ・データをセルラー・ネットワークに転送するように構成された通信インタフェースと、を備え、
前記セルラー・ネットワークは、無線インタフェース及び処理回路を有するネットワーク・ノードを備え、ネットワーク・ノードの処理回路は、前記無線インタフェースに、参照信号リソース・セットの構成を示す少なくとも１つのパラメータを送信させるように構成され、前記参照信号リソース・セットの前記構成は、前記参照信号リソース・セットを使用して前記ワイヤレス・デバイスによって周波数同期が実行可能であるかどうかを判定する、通信システム。
実施形態Ｂ２。実施形態Ｂ１の通信システムであって、前記ネットワーク・ノードをさらに含む、通信システム。
実施形態Ｂ３。実施形態Ｂ２の通信システムであって、前記ＷＤをさらに含み、前記ＷＤは、前記ネットワーク・ノードと通信するように構成される、通信システム。
実施形態Ｂ４。実施形態Ｂ３の通信システムであって、
前記ホスト・コンピュータの前記処理回路は、ホスト・アプリケーションを実行し、それによって前記ユーザ・データを提供するように構成され、
前記ＷＤは、前記ホスト・アプリケーションに関連付けられたクライアント・アプリケーションを実行するように構成された処理回路を備える、通信システム。
実施形態Ｃ１。ワイヤレス・デバイスとの通信のために構成されたネットワーク・ノードにおいて実施される方法であって、参照信号リソース・セットの構成を示す少なくとも１つのパラメータを送信することを有し、前記参照信号リソース・セットの前記構成は、前記参照信号リソース・セットを使用して前記ワイヤレス・デバイスによって周波数同期が実行可能であるかどうかを判定する、方法。
実施形態Ｃ２。実施形態Ｃ１の方法であって、前記少なくとも１つのパラメータを送信することは、無線リソース制御メッセージにおいて前記少なくとも１つのパラメータを送信することをさらに含む、方法。
実施形態Ｃ３。実施形態Ｃ１又はＣ２の方法であって、前記参照信号リソース・セットは、トラッキング参照信号（ＴＲＳ）バーストを含む、方法。
実施形態Ｄ１。ホスト・コンピュータと、ネットワーク・ノードと、ワイヤレス・デバイス（ＷＤ）とを含む通信システムにおいて実施される方法であって、
前記ホスト・コンピュータにおいて、ユーザ・データを提供することと、
前記ホスト・コンピュータにおいて、前記ネットワーク・ノードを備えるセルラー・ネットワークを介してＷＤへ前記ユーザ・データを搬送する送信を開始することと、を有し、前記ネットワーク・ノードは、前記参照信号リソース・セットの構成を示す少なくとも１つのパラメータを送信するように構成され、前記参照信号リソース・セットの前記構成は、前記参照信号リソース・セットを使用して前記ワイヤレス・デバイスによって周波数同期が実行可能であるかどうかを判定する、方法。
実施形態Ｄ２。実施形態Ｄ１の方法であって、前記ネットワーク・ノードにおいて、前記ユーザ・データを送信することをさらに含む、方法。
実施形態Ｄ３。実施形態Ｄ２の方法であって、前記ユーザ・データは、ホスト・アプリケーションを実行することによって前記ホスト・コンピュータにおいて提供され、前記方法は、前記ＷＤにおいて、前記ホスト・アプリケーションに関連付けられたクライアント・アプリケーションを実行することをさらに含む、方法。
実施形態Ｅ１。ネットワーク・ノードと通信するように構成されたワイヤレス・デバイス（ＷＤ）であって、無線インタフェース及び処理回路を備え、前記処理回路は、
前記無線インタフェースに、参照信号リソース・セットの構成を示す少なくとも１つのパラメータを受信させることと、
前記参照信号リソース・セットの前記構成を判定するために前記少なくとも１つのパラメータを使用することと、
前記判定された構成に基づいて、前記参照信号リソース・セットを使用して周波数同期が実行可能であるかどうかを判定することと、を行うように構成される、ワイヤレス・デバイス。
実施形態Ｅ２。実施形態Ｅ１に記載のワイヤレス・デバイスであって、前記処理回路は、前記少なくとも１つのパラメータが無線リソース制御メッセージ内に存在することを判定するようにさらに構成される、ワイヤレス・デバイス。
実施形態Ｅ３。実施形態Ｅ１又はＥ２に記載のワイヤレス・デバイスであって、前記参照信号リソース・セットは、トラッキング参照信号（ＴＲＳ）バーストを含む、ワイヤレス・デバイス。
実施形態Ｅ４。実施形態Ｅ１〜Ｅ３の何れかに記載のワイヤレス・デバイスであって、前記処理回路は、チャネル状態情報（ＣＳＩ）を前記ネットワーク・ノードへ報告すべきかどうかを判定するために前記少なくとも１つのパラメータを使用するようにさらに構成される、ワイヤレス・デバイス。
実施形態Ｆ１。ホスト・コンピュータを含む通信システムであって、前記ホスト・コンピュータは、
ユーザ・データを提供するように構成された処理回路と、
ワイヤレス・デバイス（ＷＤ）への送信のために、ユーザ・データをセルラー・ネットワークへ転送するように構成された通信インタフェースと、を備え、
前記ＷＤは、無線インタフェース及び処理回路を備え、前記ＷＤの処理回路は、
前記無線インタフェースに、参照信号リソース・セットの構成を示す少なくとも１つのパラメータを受信させることと、
前記参照信号リソース・セットの前記構成を判定するために前記少なくとも１つのパラメータを使用することと、
前記判定された構成に基づいて、前記参照信号リソース・セットを使用して周波数同期が実行可能であるかどうかを判定することと、を行うように構成される、通信システム。
実施形態Ｆ２。実施形態Ｆ１の通信システムであって、前記ＷＤをさらに含む、通信システム。
実施形態Ｆ３．実施形態Ｆ２の通信システムであって、前記セルラー・ネットワークは、前記ＷＤと通信するように構成されたネットワーク・ノードをさらに含む、通信システム。
実施形態Ｆ４。実施形態Ｆ２又はＦ３の通信システムであって、
前記ホスト・コンピュータの前記処理回路は、ホスト・アプリケーションを実行し、それによって前記ユーザ・データを提供するように構成され、
前記ＷＤの処理回路は、前記ホスト・アプリケーションに関連付けられたクライアント・アプリケーションを実行するように構成される、通信システム。
実施形態Ｇ１。ワイヤレス・デバイス（ＷＤ）において実施される方法であって、
参照信号リソース・セットの構成を示す少なくとも１つのパラメータを受信することと、
前記参照信号リソース・セットの前記構成を判定するために前記少なくとも１つのパラメータを使用することと、
前記判定された構成に基づいて、前記参照信号リソース・セットを使用して周波数同期が実行可能であるかどうかを判定することと、を有する方法。
実施形態Ｇ２。実施形態Ｇ１に記載の方法であって、前記少なくとも１つのパラメータが無線リソース制御メッセージ内に存在することを判定することをさらに含む、方法。
実施形態Ｇ３。実施形態Ｇ１又はＧ２に記載の方法であって、前記参照信号リソース・セットは、トラッキング参照信号（ＴＲＳ）バーストを含む、方法。
実施形態Ｇ４。実施形態Ｇ１〜Ｇ３の何れかに記載の方法であって、チャネル状態情報（ＣＳＩ）を前記ネットワーク・ノードへ報告すべきかどうかを決定するために前記少なくとも１つのパラメータを使用することをさらに含む、方法。
実施形態Ｈ１。ホスト・コンピュータと、ネットワーク・ノードと、ワイヤレス・デバイス（ＷＤ）とを含む通信システムにおいて実施される方法であって、
前記ホスト・コンピュータにおいて、ユーザ・データを提供することと、
前記ホスト・コンピュータにおいて、前記ネットワーク・ノードを備えるセルラー・ネットワークを介してＷＤへ前記ユーザ・データを搬送する送信を開始することと、有し、前記ＷＤは、
参照信号リソース・セットの構成を示す少なくとも１つのパラメータを受信することと、
前記参照信号リソース・セットの前記構成を判定するために前記少なくとも１つのパラメータを使用することと、
前記判定された構成に基づいて、前記参照信号リソース・セットを使用して周波数同期が実行可能であるかどうかを判定することと、を行うように構成される、方法。
実施形態Ｈ２。実施形態３５の方法であって、前記ＷＤにおいて、前記ネットワーク・ノードから前記ユーザ・データを受信することをさらに含む、方法。
実施形態Ｉ１。ネットワーク・ノードであって、
少なくとも１つのパラメータを記憶するように構成されたメモリ・モジュールと、
ワイヤレス・デバイス（ＷＤ）へ参照信号リソース・セットの構成を示すために前記少なくとも１つのパラメータを送信するように構成された参照信号構成モジュールと、を備え、前記参照信号リソース・セットの前記構成は、前記参照信号リソース・セットを使用して前記ＷＤによって周波数同期が実行可能であるかどうかを判定する、ネットワーク・ノード。
実施形態Ｉ２。ワイヤレス・デバイスであって、
少なくとも１つのパラメータを記憶するように構成されたメモリ・モジュールと、
周波数同期判定モジュールであって、
前記少なくとも１つのパラメータが参照信号リソース・セットの構成を示すことを判定することと、
前記参照信号リソース・セットの前記構成を判定するために前記少なくとも１つのパラメータを使用することと、
前記判定された構成に基づいて、前記参照信号リソース・セットを使用して周波数同期が実行可能であるかどうかを判定することと、を行うように構成される、ワイヤレス・デバイス。
【０１０１】
トラッキング参照信号（ＴＲＳ）帯域幅（ＢＷ）は、例えば、ｍｉｎ（帯域幅部分（ＢＷＰ）、５０個までのリソース・ブロック（ＲＢ））を有する、例えばニュー・ラジオ（ＮＲ）においてサポートされると考えられる。いくつかの態様で、ＷＤは、ＢＷＰの外側でＴＲＳを受信することは期待されず、ＴＲＳ  ＲＢ位置は、ネットワーク・ノード（例えば、ｇＮＢ）によって構成されてもよい。
【０１０２】
また、ＴＲＳは、同期信号（ＳＳ）ブロックが存在しない場合に、キャリア上又はアクティブＢＷＰに関して構成されうると考えられる。
【０１０３】
また、以下も検討されている。
●Ｎ＝２＋２、Ｘ＝２について、ＴＲＳシンボルは、２つの連続するスロットにおいて同じシンボル位置を有する。
●ＤＭＲＳ及びＴＲＳは、ＷＤの観点から少なくとも時分割多重（ＴＤＭ）される。
●スロット当たりの以下のシンボル位置のうちの１つは、ＲＲＣによって構成されうる。
●オプション１：シンボル４及び８（シンボル・インデックスは０から始まる）。
●オプション２：シンボル５及び９。
●オプション３：シンボル６及び１０。
●注記１：潜在的なダウン選択は、次の会議まで行われうる。１つのオプションのみを選択することに限定されない。
●注記２：上記のようなＴＲＳを構成するためのＲＲＣシグナリングは、ＤＭＲＳ、ＣＳＩ−ＲＳなどの既存のＲＲＣシグナリングに関連しうる。
●注記３：追加のオプションを有することは排除されない。
【０１０４】
また、以下のようなことが考えられる。
●ＴＲＳは、Ｓｔ、Ｓｆ、Ｎ、Ｂ、Ｘ及びＹのパラメータを有する１ポートＣＳＩ−ＲＳリソースとして構成されうる。
−  １つ以上のリソースに関するＦＦＳ
−  注記：ＴＲＳはまた、６ＧＨｚを超えてサポートされる。
●パラメータＸ、Ｎ、Ｓｔに関するＦＦＳ
●ＦＦＳ：ＴＲＳ周期性
−  ６ＧＨｚ未満について、１０ｍｓ、２０ｍｓ、４０ｍｓ及び８０ｍｓのＴＲＳ周期がサポートされる。
●ＲＡＮ４情報について、高速電車シナリオのために１０ｍｓが導入される。
●注記：スロット単位で周期を取り込むことは編集者次第である。
−  ＴＲＳ  ＢＷは、ＢＷＰのＢＷに等しくてもよい。
●ＵＥは、ＢＷＰが５０ＲＢよりも大きいならば、ＢＷＰに等しいＴＲＳ  ＢＷと、１０ｍｓのＴＲＳ周期性とで同時に構成されることが期待されない。
−  ＣＳＩ−ＲＳ測定制限機能に関するＦＦＳは、ＴＲＳバーストの間に構成されうる。
−  Ｓｆ＝４
●ＦＦＳ：追加のＳｆ値
−  ６ＧＨｚ未満について
●Ｘ＝１に関するＦＦＳ
【０１０５】
ＴＲＳ構成
ＴＲＳは、例えば、１つ以上のリソース上のＳｔ、Ｓｆ、Ｎ、Ｂ、Ｘ及びＹに関する以下のパラメータで、１ポートＣＳＩ−ＲＳリソースとして構成されうると考えられてきた。
【０１０６】
他の考慮事項は、以下を含む。
●ＲＰＦ＝４は、単一ポートＣＳＩ−ＲＳリソースに対する有効な周波数密度である。
●ＣＳＩ−ＲＳリソースは、ＯＦＤＭシンボル４及び５にも構成されてもよい。
●２つの隣接するスロットにわたる４つの単一ポートＣＳＩ−ＲＳリソースのグループは、単一ＴＲＳアンテナ・ポートに対応するように構成されてもよい。及び／又は、
●部分的ＢＷ  ＣＳＩ−ＲＳリソースは、５０ＲＢまでに構成することが可能であってもよい。
【０１０７】
シーケンス・スクランブル、測定制限構成、ゼロ電力ＣＳＩ−ＲＳ（サポートされる場合）のような機能を規定する様々なＣＳＩ−ＲＳリソースは、さらなる合意なしにＴＲＳに自動的に継承されてもよい。
【０１０８】
周波数関連パラメータの推定について、４つの異なるＣＳＩ−ＲＳリソース内の４つのポートが同じポートであること、すなわち、本書で上述されたようにコヒーレンスが必要であることが重要であってもよい。例えば、（例えば、ＲｅｓｏｕｒｃｅＲｅｐを使用する）空間Ｒｘ準共位置に関する準共位置（ＱＣＬ）関係を仮定することは、この条件が、ポートが同じビームで送信されることを保証するだけである（位相コヒーレンシが保証されない）ので、不十分であってもよい。
【０１０９】
したがって、この開示は、ＣＳＩ−ＲＳリソースの各々におけるポートが、リソース・セット内のすべてのリソースにわたって同じポートであることをＷＤが想定してもよいかどうかを示すために、リソース・セット構成に「ポート・コヒーレンス・フラグ」又は他のタイプの構成インジケータを提供することを提案する。
【０１１０】
このフラグは、リソース・セット内のＣＳＩ−ＲＳリソースが単一ポート・リソースである場合にのみ存在してもよい。さらに、仕様は、このリソース・セットで規定されたこの新しいポートへの容易な参照のために、「ＴＲＳアンテナ・ポート」のための新しいポート番号を導入しうる。
【０１１１】
ＴＲＳのＲＲＣ構成は、以下の例のように、４つのＮＺＰ  ＣＳＩ−ＲＳリソースが続くリソース・セット構成として捉えられうる。
＞  ＲｅｓｏｕｒｃｅＣｏｎｆｉｇＬｉｓｔ
−  ＲｅｓｏｕｒｃｅＳｅｔＣｏｎｆｉｇ（Ｓ≧１のＣＳＩ−ＲＳリソース・セット）。以下を含む。
＞  ポート・コヒーレンス・フラグ＝ＯＮ
−  ＣＳＩ−ＲＳリソース内のポートがリソース・セット内のすべてのリソースにわたって同じポートであるかどうかを示す。
＞  Ｋｓ＝４ＮＺＰ−ＣＳＩ−ＲＳ−ＲｅｓｏｕｒｃｅＣｏｎｆｉｇ。以下を含む。
−  ＣＳＩ−ＲＳ−ＲｅｓｏｕｒｃｅＣｏｎｆｉｇＩｄ＝１，２，３，４
−  ＮｒｏｆＰｏｒｔｓ＝１
−  ＣＳＩ−ＲＳ−ｔｉｍｅＣｏｎｆｉｇ＝スロット・オフセット＝｛０，０，１，１｝、｛１０，２０，４０，８０｝ｍｓ
−  ＣＳＩ−ＲＳ−ＲｅｓｏｕｒｃｅＭａｐｐｉｎｇ，ｌ＝｛４，８｝（時間マッピング例），ｋ＝｛０，１，２又は３｝（周波数オフセット）
−  ＣＳＩ−ＲＳ−Ｄｅｎｓｉｔｙ＝３
−  ＣＤＭＴｙｐｅ＝１
−  ＣＳＩ−ＲＳ−ＦｒｅｑＢａｎｄ＝５０ＲＢ又はフルＢＷＰ
−  Ｐｃ＝１
−  ＳｃｒａｍｂｌｉｎｇＩＤ＝｛０−（２＾１５−１）｝
−  ＲｅｓｏｕｒｃｅＣｏｎｆｉｇＴｙｐｅ＝｛周期的｝
【０１１２】
いまやコヒーレント・ポートであるリソース・セット内のリソースの各々に対して測定制限（ＭＲ）が有効化されるならば、ＭＲが４つのＣＳＩ−ＲＳリソースの異なるこのようなバースト間に適用されるが、各バースト内のＣＳＩ−ＲＳリソース間は適用されないことをＷＤが想定してもよいので、これは、ＭＲの定義をわずかに変更するかもしれないことに留意されたい。
【０１１３】
当業者によって理解されるように、本書で説明される概念は、方法、データ処理システム、及び／又はコンピュータ・プログラム製品として実施されてもよい。したがって、本書で説明される概念は、完全にハードウェアの実施形態、完全にソフトウェアの実施形態、又はソフトウェア及びハードウェアの態様を組み合わせる実施形態の形態をとることができ、これらすべては本書で一般に「回路」又は「モジュール」と呼ばれる。さらに、本開示は、コンピュータによって実行可能である媒体内に実施されたコンピュータ・プログラム・コードを有する有形のコンピュータ使用可能記憶媒体上のコンピュータ・プログラム製品の形態をとってもよい。ハードディスク、ＣＤ−ＲＯＭ、電子記憶デバイス、光記憶デバイス、又は磁気記憶デバイスを含む任意の適切な有形のコンピュータ可読媒体が利用されてもよい。
【０１１４】
いくつかの実施形態は、本書で、方法、システム、及びコンピュータ・プログラム製品のフローチャート図及び／又はブロック図を参照して説明される。フローチャート図及び／又はブロック図の各ブロック、ならびにフローチャート図及び／又はブロック図のブロックの組み合わせは、コンピュータ・プログラム命令によって実施されうることが理解されるであろう。これらのコンピュータ・プログラム命令は、機械を生成するために、汎用コンピュータ、専用コンピュータ、又は他のプログラム可能なデータ処理装置のプロセッサに提供されてもよく、それにより、コンピュータ又は他のプログラム可能なデータ処理装置のプロセッサを介して実行される命令が、フローチャート及び／又はブロック図のブロック又は複数のブロックにおいて指定された機能／動作を実施するための手段を作成する。
【０１１５】
これらのコンピュータ・プログラム命令はまた、コンピュータ又は他のプログラム可能なデータ処理装置に特定の方法で機能するように命令できるコンピュータ可読メモリ又は記憶媒体に記憶されてもよく、それにより、コンピュータ可読メモリに記憶された命令は、フローチャート及び／又はブロック図のブロック又は複数のブロックで指定された機能／動作を実施する命令手段を含む製品を生成する。
【０１１６】
コンピュータ・プログラム命令はまた、コンピュータ又は他のプログラム可能装置上で実行される命令が、フローチャート及び／又はブロック図のブロック又は複数のブロックで指定された機能／動作を実装するためのステップを提供するように、コンピュータ実装プロセスを生成するためにコンピュータ又は他のプログラム可能装置上で一連の動作ステップを実行させるためにコンピュータ又は他のプログラム可能データ処理装置上にロードされてもよい。
【０１１７】
ブロックに記載される機能／動作は、動作図に記載される順序から外れて生じてもよいことが理解されよう。例えば、連続して示される２つのブロックは、関与する機能／動作に応じて、実際には実質的に同時に実行されてもよいか、又はブロックは時には逆の順序で実行されてもよい。図のいくつかは通信の主要な方向を示すために通信経路上に矢印を含むが、通信は図示された矢印とは反対方向に生じてもよいことが理解されよう。
【０１１８】
本書で説明される概念の動作を実行するためのコンピュータ・プログラム・コードは、Ｊａｖａ（登録商標）又はＣ＋＋のようなオブジェクト指向プログラミング言語で書かれてもよい。しかし、本開示の動作を実行するためのコンピュータ・プログラム・コードは、「Ｃ」プログラミング言語のような従来の手続き型プログラミング言語で書かれてもよい。プログラム・コードは、完全にユーザのコンピュータ上で、部分的にユーザのコンピュータ上で、独立型ソフトウェア・パッケージとして、部分的にユーザのコンピュータ上で、部分的にリモート・コンピュータ上で、又は完全にリモート・コンピュータ上で実行されてもよい。後者のシナリオで、リモート・コンピュータは、ローカル・エリア・ネットワーク（ＬＡＮ）又はワイド・エリア・ネットワーク（ＷＡＮ）を介してユーザのコンピュータに接続されてもよく、又は接続は、（例えば、インターネット・サービス・プロバイダを使用するインターネットを通じて）外部コンピュータに対して行われてもよい。
【０１１９】
上記の説明及び図面に関連して、多くの異なる実施形態が本書に開示されている。これらの実施形態のすべての組み合わせ及びサブコンビネーションを文字通りに説明し、例示することは、過度に反復的であり、不明瞭であろうことが理解されよう。したがって、すべての実施形態は、任意の方法及び／又は組み合わせで組み合わせることができ、図面を含む本書は、本書に記載される実施形態のすべての組み合わせ及びサブコンビネーション、ならびにそれらの作製及び使用方法及びプロセスの完全な明細書を構成すると解釈されるべきであり、任意のそのような組み合わせ又はサブコンビネーションに対して特許請求の範囲をサポートするものとする。
【０１２０】
前述の説明において使用されてもよい略語は、以下を含む。
ＣＳＩ−ＲＳ  チャネル状態情報参照信号
ｇＮＢ        ＮＲノードＢ（ＮＲ  ＲＡＮアーキテクチャにおける論理ネットワーク・ノード）
ＮＲ          ニュー・ラジオ（３ＧＰＰ  ５Ｇ）
ＴＳＲ        トラッキング参照信号
ＵＥ          ユーザ機器（ＮＲ  ＲＡＮアーキテクチャにおける論理ネットワーク・ノード）
【０１２１】
本書に記載される実施形態は、本書に特に示され、本書に記載されるものに限定されないことが、当業者によって理解されるであろう。さらに、上記とは反対に言及しない限り、添付の図面の全てが縮尺通りではないことに留意されたい。上記教示に照らして、以下の特許請求の範囲から逸脱することなく、様々な修正及び変形が可能である。
【図１】
2021503735.tif 000003
【図２】
2021503735.tif 000004
【図３】
2021503735.tif 000005
【図４】
2021503735.tif 000006
【図５】
2021503735.tif 000007
【図６】
2021503735.tif 000008
【図７】
2021503735.tif 000009
【図８】
2021503735.tif 000010
【図９】
2021503735.tif 000011
【図１０】
2021503735.tif 000012
【図１１】
2021503735.tif 000013
【図１２】
2021503735.tif 000014
【図１３】
2021503735.tif 000015
【図１４】
2021503735.tif 000016
【図１５】
2021503735.tif 000017
【図１６】
2021503735.tif 000018
【図１７】
2021503735.tif 000019
【図１８】
2021503735.tif 000020
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
ワイヤレス・デバイス（ＷＤ）（２２）と通信するように構成されたネットワーク・ノード（１６）であって、
無線インタフェース（６２）と、
処理回路（６８）とを備え、前記処理回路（６８）は、前記無線インタフェース（６２）に、
参照信号リソース・セットの構成を前記ＷＤへ送信させることであって、前記参照信号リソース・セットは、少なくとも１つのスロット内の単一シンボル及び単一アンテナ・ポート・チャネル状態情報（ＣＳＩ）参照信号リソースのセットであり、前記送信された構成の少なくとも１つのパラメータは、前記ＷＤが前記参照信号リソース・セットのすべてのＣＳＩ参照信号リソースに対して同じアンテナ・ポートを想定可能であるかどうかを示す、ことを行うように構成される、ネットワーク・ノード（１６）。
【請求項２】
請求項１に記載のネットワーク・ノード（１６）であって、前記処理回路（６８）は、前記無線インタフェース（６２）に、前記参照信号リソース・セットの前記送信された構成に従って前記参照信号リソース・セットのＣＳＩ参照信号リソースを前記ＷＤ（２２）へ送信させるようにさらに構成される、ネットワーク・ノード（１６）。
【請求項３】
請求項１又は２に記載のネットワーク・ノード（１６）であって、前記少なくとも１つのパラメータは、前記ＷＤ（２２）が、前記参照信号リソース・セットに関して実行された測定に基づいてＣＳＩを前記ネットワーク・ノード（１６）へ報告するかどうか、又は前記参照信号リソース・セットをトラッキング参照信号リソースのセットとして使用するかどうかを示す、ネットワーク・ノード（１６）。
【請求項４】
請求項１乃至３の何れか１項に記載のネットワーク・ノード（１６）であって、前記処理回路（６８）は、前記無線インタフェース（６２）に、前記少なくとも１つのパラメータが、前記ＷＤが前記参照信号リソース・セットのすべてのＣＳＩ参照信号リソースに対して同じアンテナ・ポートを想定可能でないことを示すならば、前記ＷＤ（２２）からＣＳＩ報告を受信させるようにさらに構成される、ネットワーク・ノード（１６）。
【請求項５】
ワイヤレス・デバイス（ＷＤ）（２２）と通信するように構成されたネットワーク・ノード（１６）のための方法であって、
参照信号リソース・セットの構成を前記ＷＤへ送信すること（Ｓ１３６）であって、前記参照信号リソース・セットは、少なくとも１つのスロット内の単一シンボル及び単一アンテナ・ポート・チャネル状態情報（ＣＳＩ）参照信号リソースのセットであり、前記送信された構成の少なくとも１つのパラメータは、前記ＷＤ（２２）が前記参照信号リソース・セットのすべてのＣＳＩ参照信号リソースに対して同じアンテナ・ポートを想定可能であるかどうかを示す、ことを有する、方法。
【請求項６】
請求項５に記載の方法であって、前記参照信号リソース・セットの前記送信された構成に従って前記参照信号リソース・セットの参照信号リソースを前記ＷＤ（２２）へ送信することをさらに有する、方法。
【請求項７】
請求項５又は６に記載の方法であって、前記少なくとも１つのパラメータは、前記ＷＤ（２２）が、前記参照信号リソース・セットに関して実行された測定に基づいてＣＳＩを前記ネットワーク・ノード（１６）へ報告するかどうか、又は前記参照信号リソース・セットをトラッキング参照信号リソースのセットとして使用するかどうかを示す、方法。
【請求項８】
請求項５乃至７の何れか１項に記載の方法であって、前記少なくとも１つのパラメータが、前記ＷＤが前記参照信号リソース・セットのすべての参照信号リソースに対して同じアンテナ・ポートを想定可能でないことを示すならば、前記ＷＤ（２２）からチャネル状態情報（ＣＳＩ）報告を受信することをさらに有する、方法。
【請求項９】
ネットワーク・ノード（１６）と通信するように構成されたワイヤレス・デバイス（ＷＤ）（２２）であって、
無線インタフェース（８２）と、
処理回路（８４）とを備え、前記処理回路（８４）は、
前記無線インタフェース（８２）に、前記ネットワーク・ノード（１６）から参照信号リソース・セットの構成を受信させることであって、前記参照信号リソース・セットは、少なくとも１つのスロット内の単一シンボル及び単一アンテナ・ポート・チャネル状態情報（ＣＳＩ）参照信号リソースのセットである、ことと、
前記受信された構成の少なくとも１つのパラメータに基づいて、前記ＷＤが前記参照信号リソース・セットのすべてのＣＳＩ参照信号リソースに対して同じアンテナ・ポートを想定可能であるかどうかを判定することと、を行うように構成される、ワイヤレス・デバイス（２２）。
【請求項１０】
請求項９に記載のワイヤレス・デバイス（２２）であって、前記処理回路（８４）は、
前記無線インタフェース（８２）に、前記参照信号リソース・セットの前記構成に従って前記ＣＳＩ参照信号リソースを受信させることと、
前記参照信号リソース・セットのすべてのＣＳＩ参照信号リソースに対して同じアンテナ・ポートが想定可能であることの判定の結果として、前記ＣＳＩ参照信号リソースを使用して周波数同期を実行することと、
を行うようにさらに構成される、ワイヤレス・デバイス（２２）。
【請求項１１】
請求項１０に記載のワイヤレス・デバイス（２２）であって、前記処理回路（８４）は、前記参照信号リソース・セットのＣＳＩ参照信号リソース間の位相差に基づいて前記周波数同期を実行するように構成される、ワイヤレス・デバイス（２２）。
【請求項１２】
請求項９乃至１１の何れか１項に記載のワイヤレス・デバイス（２２）であって、前記参照信号リソース・セットの前記構成は、無線リソース制御（ＲＲＣ）メッセージにおいて受信される、ワイヤレス・デバイス（２２）。
【請求項１３】
請求項９乃至１２の何れか１項に記載のワイヤレス・デバイス（２２）であって、前記処理回路（８４）は、前記少なくとも１つのパラメータに基づいて、前記参照信号リソース・セットに関して実行された測定からのＣＳＩを前記ネットワーク・ノード（１６）へ報告するかどうか、又は前記参照信号リソース・セットをトラッキング参照信号リソースのセットとして使用するかどうかを判定するようにさらに構成される、ワイヤレス・デバイス（２２）。
【請求項１４】
ネットワーク・ノード（１６）と通信するように構成されたワイヤレス・デバイス（ＷＤ）（２２）のための方法であって、
前記ネットワーク・ノード（１６）から参照信号リソース・セットの構成を受信すること（Ｓ１４２）であって、前記参照信号リソース・セットは、少なくとも１つのスロット内の単一シンボル及び単一アンテナ・ポート・チャネル状態情報（ＣＳＩ）参照信号リソースのセットである、ことと、
前記受信された構成の少なくとも１つのパラメータに基づいて、前記ＷＤが前記参照信号リソース・セットのすべてのＣＳＩ参照信号リソースに対して同じアンテナ・ポートを想定可能であるかどうかを判定すること（Ｓ１４４）と、を有する、方法。
【請求項１５】
請求項１４に記載の方法であって、
前記参照信号リソース・セットの前記構成に従って前記ＣＳＩ参照信号リソースを受信することと、
前記ＷＤが前記参照信号リソース・セットのすべてのＣＳＩ参照信号リソースに対して同じアンテナ・ポートを想定可能であることの判定の結果として、前記ＣＳＩ参照信号リソースを使用して前記周波数同期を実行することと、
をさらに有する、方法。
【請求項１６】
請求項１４又は１５に記載の方法であって、前記少なくとも１つのパラメータに基づいて、前記参照信号リソース・セットに関して実行された測定からのＣＳＩを前記ネットワーク・ノード（１６）へ報告するかどうか、又は前記参照信号リソース・セットをトラッキング参照信号リソースのセットとして使用するかどうかを判定することをさらに有する、方法。
【国際調査報告】
2021503735.tif 000021
2021503735.tif 000022
2021503735.tif 000023